(57)【特許請求の範囲】
【請求項１】
受信ユニット、送信ユニット、及び処理ユニットを備え、
前記受信ユニットは、第２の端末により送信されたリンク設定要求メッセージを受信し、前記リンク設定要求メッセージは、前記第２の端末のコンテキスト情報を搬送し、前記コンテキスト情報は、少なくとも前記第２の端末の識別子ＩＤを含み、
前記送信ユニットは、前記リンク設定要求メッセージに従って、ネットワーク側デバイスにベアラ設定要求メッセージを送信し、前記ベアラ設定要求メッセージは、無線ベアラ変更要求メッセージ又はベアラリソース変更要求メッセージを含み、前記ベアラ設定要求メッセージは、前記コンテキスト情報を搬送し、前記ベアラ設定要求メッセージは、前記ネットワーク側デバイスにサービスベアラを設定するように要求するために用いられ、前記サービスベアラは、前記第２の端末のサービスデータを伝送するために用いられ、
前記受信ユニットは更に、前記ベアラ設定要求メッセージに従って、前記ネットワーク側デバイスにより送信されたベアラ設定完了メッセージを受信し、前記ベアラ設定完了メッセージは、前記サービスベアラのＩＤを搬送し、
前記処理ユニットは、前記サービスベアラと前記第２の端末との間にマッピング関係を確立し、
前記送信ユニットは更に、前記マッピング関係が確立された後、前記第２の端末にリンク設定完了メッセージを送信し、これにより、前記第２の端末は、第１の端末を用いて前記サービスベアラを介して前記ネットワーク側デバイスとデータ伝送を実行する、
装置。
【請求項２】
前記リンク設定要求メッセージに従って、前記ネットワーク側デバイスに前記ベアラ設定要求メッセージを送信する場合に、前記送信ユニットは、具体的には、
前記コンテキスト情報に従って、前記第１の端末にサービス提供する第１の基地局（第１のｅＮＢ）に無線ベアラ変更要求メッセージを送信し、これにより、前記第１のｅＮＢは、前記第１のｅＮＢと前記第１の端末との間に第１の無線ベアラを設定し、前記第１の無線ベアラは、前記第２の端末の前記サービスデータを伝送するために用いられる、請求項１に記載の装置。
【請求項３】
前記リンク設定要求メッセージに従って、前記ネットワーク側デバイスに前記ベアラ設定要求メッセージを送信する場合に、前記送信ユニットは、具体的には、
前記コンテキスト情報に従って、モビリティ管理エンティティＭＭＥにベアラリソース変更要求メッセージを送信し、これにより、前記ＭＭＥは、第１のｅＮＢとサービス提供ゲートウェイＳ‐ＧＷとの間に第２のＳ１ベアラを設定し、前記ＭＭＥは、前記第１のｅＮＢを制御して前記第１のｅＮＢと前記第１の端末との間に第１の無線ベアラを設定し、前記第２のＳ１ベアラ及び前記第１の無線ベアラは、前記第２の端末の前記サービスデータを伝送するために用いられる、請求項１に記載の装置。
【請求項４】
前記サービスベアラと前記第２の端末との間に前記マッピング関係を確立する場合に、前記処理ユニットは具体的には、
前記第１の無線ベアラのＩＤと前記第２の端末の前記ＩＤとの間にマッピング関係を確立し、
前記第１の無線ベアラのＩＤと第１のＩＰアドレスとの間にマッピング関係を確立し、前記コンテキスト情報は更に、前記第２の端末にデータゲートウェイＰ‐ＧＷにより割り当てられた前記第１のＩＰアドレスを含む、又は
前記第２の端末に第２のＩＰアドレスを割り当て、前記第１のＩＰアドレスと前記第２のＩＰアドレスとの間にマッピング関係を確立し、前記第１の無線ベアラのＩＤと前記第２のＩＰアドレスとの間にマッピング関係を確立し、前記コンテキスト情報は更に、前記第２の端末にデータゲートウェイＰ‐ＧＷにより割り当てられた前記第１のＩＰアドレスを含む、
請求項２又は３に記載の装置。
【請求項５】
前記受信ユニットは更に、そのソースＩＰアドレスが第２のＩＰアドレスであり、前記第２の端末により送信されたアップリンクデータを受信すること、
前記処理ユニットは更に、前記アップリンクデータの前記ソースＩＰアドレスを前記第１のＩＰアドレスと置き換えること、及び前記送信ユニットは更に、前記第２のＩＰアドレスをマッピングする第１の無線ベアラを介して第１のｅＮＢに、そのソースＩＰアドレスが置き換えられた前記アップリンクデータを送信すること、並びに
前記受信ユニットは更に、前記第２のＩＰアドレスをマッピングする前記第１の無線ベアラを介して、前記第２の端末宛てであり、その宛先ＩＰアドレスが前記第１のＩＰアドレスであるダウンリンクデータを受信すること、前記処理ユニットは更に、前記ダウンリンクデータの前記宛先ＩＰアドレスを前記第２のＩＰアドレスと置き換えること、及び前記送信ユニットは更に、前記第２の端末に、その宛先ＩＰアドレスが置き換えられた前記ダウンリンクデータを送信すること、
の少なくとも一方である、請求項４に記載の装置。
【請求項６】
前記コンテキスト情報は更に、前記第２の端末の最初にアクセスされたセルＩＤを含み、
前記受信ユニットは更に、前記コンテキスト情報における前記第２の端末の前記最初にアクセスされたセルＩＤを受信し、
前記送信ユニットは更に、第１のｅＮＢに前記第２の端末の前記最初にアクセスされたセルＩＤを送信する、請求項１に記載の装置。
【請求項７】
受信ユニット、送信ユニット、及び処理ユニットを備え、
前記受信ユニットは、第１の端末により送信された無線ベアラ変更要求メッセージを受信し、前記無線ベアラ変更要求メッセージは、第２の端末のコンテキスト情報を搬送し、前記コンテキスト情報は、少なくとも前記第２の端末の識別子ＩＤを含み、
前記処理ユニットは、前記無線ベアラ変更要求メッセージに従って、第１のｅＮＢと前記第１の端末との間に第１の無線ベアラを設定し、前記第１の無線ベアラは、前記第２の端末のサービスデータを伝送するために用いられ、
前記処理ユニットは更に、前記第２の端末の前記ＩＤに対応する第１のＳ１ベアラについて前記第１のｅＮＢの既存のＳ１ベアラを検索し、
前記処理ユニットは更に、前記第１の無線ベアラと前記第１のＳ１ベアラとの間にマッピング関係を確立し、
前記送信ユニットは、前記マッピング関係が確立された後、前記第１の端末にベアラ設定完了メッセージを送信し、前記ベアラ設定完了メッセージは、前記第１の無線ベアラのＩＤを搬送する、
装置。
【請求項８】
前記第１のｅＮＢと前記第１の端末との間に前記第１の無線ベアラを設定する場合に、前記処理ユニットは具体的には、
前記第１のｅＮＢと前記第１の端末との間の既存の無線ベアラを前記第１の無線ベアラとして設定し、前記既存の無線ベアラは、別の第２の端末のサービスデータを伝送するために用いられる、又は
前記第１のｅＮＢと前記第１の端末との間に前記第１の無線ベアラを確立する、
請求項７に記載の装置。
【請求項９】
前記受信ユニットは更に、前記第１の端末により送信された前記第２の端末の最初にアクセスされたセルＩＤを受信し、
前記処理ユニットは更に、前記第１のｅＮＢのＩＤが前記最初にアクセスされたセルＩＤと同一である場合に、前記無線ベアラ変更要求メッセージに従って、前記第１のｅＮＢと前記第１の端末との間に前記第１の無線ベアラを設定し、又は
前記送信ユニットは更に、前記第１のｅＮＢのＩＤが前記最初にアクセスされたセルＩＤと異なる場合に、前記最初にアクセスされたセルＩＤに対応するソースｅＮＢにハンドオーバ要求メッセージを送信し、
前記受信ユニットは更に、前記ソースｅＮＢにより送信されたハンドオーバ確認メッセージを受信し、
前記処理ユニットは更に、前記ハンドオーバ確認メッセージが受信される場合に、前記無線ベアラ変更要求メッセージに従って、前記第１のｅＮＢと前記第１の端末との間に前記第１の無線ベアラを設定する
請求項７又は８に記載の装置。
【請求項１０】
前記受信ユニットは更に、前記第１のＳ１ベアラを介して、前記第２の端末宛てのダウンリンクデータを受信すること、及び
前記送信ユニットは更に、前記第１のＳ１ベアラをマッピングする前記第１の無線ベアラを介して前記第１の端末に前記ダウンリンクデータを送信し、これにより、前記第１の端末は、前記第２の端末に前記ダウンリンクデータを転送すること、並びに
前記受信ユニットは更に、前記第１の無線ベアラを介して前記第２の端末のアップリンクデータを受信すること、及び
前記送信ユニットは更に、前記第１の無線ベアラをマッピングする前記第１のＳ１ベアラを介して前記アップリンクデータを伝送すること、
の少なくとも一方である、請求項７に記載の装置。
【請求項１１】
送信ユニット、受信ユニット、及び処理ユニットを備え、
前記受信ユニットは、第１の端末により送信されたベアラリソース変更要求メッセージを受信し、前記ベアラリソース変更要求メッセージは、第２の端末のコンテキスト情報を搬送し、前記コンテキスト情報は、少なくとも前記第２の端末の識別子ＩＤを含み、
前記処理ユニットは、前記ベアラリソース変更要求メッセージに従って、第１のｅＮＢとサービス提供ゲートウェイＳ‐ＧＷとの間に第２のＳ１ベアラを設定し、前記第２のＳ１ベアラは、前記第２の端末のサービスデータを伝送するために用いられ、
前記送信ユニットは、前記ベアラリソース変更要求メッセージに従って、前記第１のｅＮＢにベアラリソースコマンドメッセージを送信し、これにより、前記第１のｅＮＢは、前記第１のｅＮＢと前記第１の端末との間に第１の無線ベアラを設定し、前記第１の無線ベアラは、前記第２の端末の前記サービスデータを伝送するために用いられる、
装置。
【請求項１２】
前記処理ユニットは更に、前記第２の端末に前記第２のＳ１ベアラの識別子を割り当て、
前記送信ユニットは更に、前記Ｓ‐ＧＷにベアラリソースコマンドメッセージを送信し、前記ベアラリソースコマンドメッセージは、前記第２のＳ１ベアラの前記識別子を搬送し、
前記受信ユニットは更に、前記Ｓ‐ＧＷにより送信されたベアラ作成要求メッセージを受信し、
前記送信ユニットは更に、前記ベアラ作成要求メッセージに従って、前記第１のｅＮＢにＥ‐ＲＡＢ変更要求メッセージを送信し、
前記受信ユニットは更に、前記Ｅ‐ＲＡＢ変更要求メッセージに従って、前記第１のｅＮＢにより送信されたＥ‐ＲＡＢベアラ設定変更応答メッセージを受信し、
前記送信ユニットは更に、前記Ｅ‐ＲＡＢベアラ設定変更応答メッセージに従って、前記Ｓ‐ＧＷにベアラ作成応答メッセージを送信し、これにより前記Ｓ‐ＧＷと前記第１のｅＮＢとの間に前記第２のＳ１ベアラを確立する、請求項１１に記載の装置。
【請求項１３】
接続制御の方法であって、前記方法は、
第１の端末が、第２の端末により送信されたリンク設定要求メッセージを受信する段階であって、前記リンク設定要求メッセージは、前記第２の端末のコンテキスト情報を搬送し、前記コンテキスト情報は、少なくとも前記第２の端末の識別子ＩＤを含む、受信する段階と、
前記第１の端末が、前記リンク設定要求メッセージに従って、ネットワーク側デバイスにベアラ設定要求メッセージを送信する段階であって、前記ベアラ設定要求メッセージは、少なくとも無線ベアラ変更要求メッセージ又はベアラリソース変更要求メッセージを含み、前記ベアラ設定要求メッセージは、前記コンテキスト情報を搬送し、前記ベアラ設定要求メッセージは、前記ネットワーク側デバイスにサービスベアラを設定するように要求するために用いられ、前記サービスベアラは、前記第２の端末のサービスデータを伝送するために用いられる、送信する段階と、
前記第１の端末が、前記ベアラ設定要求メッセージに従って、前記ネットワーク側デバイスにより送信されたベアラ設定完了メッセージを受信する段階であって、前記ベアラ設定完了メッセージは、前記サービスベアラのＩＤを搬送する、受信する段階と、
前記第１の端末が、前記サービスベアラと前記第２の端末との間にマッピング関係を確立する段階と、
前記第１の端末が、前記マッピング関係を確立した後に前記第２の端末にリンク設定完了メッセージを送信する段階であって、これにより、前記第２の端末は、前記第１の端末を用いて前記サービスベアラを介して前記ネットワーク側デバイスとデータ伝送を実行する、送信する段階と
を含む
方法。
【請求項１４】
前記第１の端末が、前記リンク設定要求メッセージに従って、ネットワーク側デバイスにベアラ設定要求メッセージを前記送信する段階は、
前記第１の端末が前記コンテキスト情報に従って、前記第１の端末にサービス提供する第１の基地局（第１のｅＮＢ）に無線ベアラ変更要求メッセージを送信する段階であって、これにより、前記第１のｅＮＢは、前記第１のｅＮＢと前記第１の端末との間の第１の無線ベアラを設定し、前記第１の無線ベアラは、前記第２の端末の前記サービスデータを伝送するために用いられる、送信する段階を含む、請求項１３に記載の方法。
【請求項１５】
前記第１の端末が、前記リンク設定要求メッセージに従って、ネットワーク側デバイスにベアラ設定要求メッセージを前記送信する段階は、
前記第１の端末が、前記コンテキスト情報に従って、モビリティ管理エンティティＭＭＥにベアラリソース変更要求メッセージを送信する段階であって、これにより、前記ＭＭＥは、第１のｅＮＢとサービス提供ゲートウェイＳ‐ＧＷとの間に第２のＳ１ベアラを設定し、前記ＭＭＥは、前記第１のｅＮＢを制御して前記第１のｅＮＢと前記第１の端末との間の第１の無線ベアラを設定し、前記第２のＳ１ベアラ及び前記第１の無線ベアラは、前記第２の端末の前記サービスデータを伝送するために用いられる、送信する段階を含む、請求項１３に記載の方法。
【請求項１６】
前記第１の端末が、前記サービスベアラと前記第２の端末との間にマッピング関係を前記確立する段階は、
前記第１の端末が、前記第１の無線ベアラのＩＤと前記第２の端末の前記ＩＤとの間にマッピング関係を確立する段階、
前記第１の端末が、前記第１の無線ベアラのＩＤと第１のＩＰアドレスとの間にマッピング関係を確立する段階であって、前記コンテキスト情報は更に、前記第２の端末にデータゲートウェイＰ‐ＧＷにより割り当てられた前記第１のＩＰアドレスを含む、確立する段階、又は
前記第１の端末が、前記第２の端末に第２のＩＰアドレスを割り当て、前記第１のＩＰアドレスと前記第２のＩＰアドレスとの間にマッピング関係を確立し、前記第１の無線ベアラのＩＤと前記第２のＩＰアドレスとの間にマッピング関係を確立する段階であって、前記コンテキスト情報は更に、前記第２の端末にＰ‐ＧＷにより割り当てられた前記第１のＩＰアドレスを含む、確立する段階
を含む、請求項１４又は１５に記載の方法。
【請求項１７】
前記方法は更に、
前記第１の端末が、そのソースＩＰアドレスが前記第２のＩＰアドレスであり、前記第２の端末により送信されたアップリンクデータを受信する段階、
前記アップリンクデータの前記ソースＩＰアドレスを前記第１のＩＰアドレスと置き換える段階、及び
前記第２のＩＰアドレスをマッピングする前記第１の無線ベアラを介して前記第１のｅＮＢに、そのソースＩＰアドレスが置き換えられた前記アップリンクデータを送信する段階、並びに
前記第１の端末が、前記第２のＩＰアドレスをマッピングする前記第１の無線ベアラを介して、前記第２の端末宛てであり、その宛先ＩＰアドレスが前記第１のＩＰアドレスであるダウンリンクデータを受信する段階、
前記ダウンリンクデータの前記宛先ＩＰアドレスを前記第２のＩＰアドレスと置き換える段階、及び
前記第２の端末に、その宛先ＩＰアドレスが置き換えられた前記ダウンリンクデータを送信する段階、
の少なくとも一方を含む、請求項１６に記載の方法。
【請求項１８】
前記コンテキスト情報は更に、前記第２の端末の最初にアクセスされたセルＩＤを含み、前記方法は更に、
前記第１の端末が、前記コンテキスト情報における前記第２の端末の前記最初にアクセスされたセルＩＤを受信する段階と、
前記第１の端末が、第１のｅＮＢに前記第２の端末の前記最初にアクセスされたセルＩＤを送信する段階と
を含む、請求項１３に記載の方法。
【請求項１９】
接続制御の方法であって、前記方法は、
第１の基地局（第１のｅＮＢ）が、第１の端末により送信された無線ベアラ変更要求メッセージを受信する段階であって、前記無線ベアラ変更要求メッセージは、第２の端末のコンテキスト情報を搬送し、前記コンテキスト情報は、少なくとも前記第２の端末の識別子ＩＤを含む、受信する段階と、
前記第１のｅＮＢが、前記無線ベアラ変更要求メッセージに従って、前記第１のｅＮＢと前記第１の端末との間に第１の無線ベアラを設定する段階であって、前記第１の無線ベアラは、前記第２の端末のサービスデータを伝送するために用いられる、構成する段階と、
前記第１のｅＮＢが、前記第２の端末の前記ＩＤに対応する第１のＳ１ベアラについて前記第１のｅＮＢの既存のＳ１ベアラを検索する段階と、
前記第１のｅＮＢが、前記第１の無線ベアラと前記第１のＳ１ベアラとの間にマッピング関係を確立する段階と、
前記第１のｅＮＢが、前記マッピング関係を確立した後、前記第１の端末にベアラ設定完了メッセージを送信する段階であって、前記ベアラ設定完了メッセージは、前記第１の無線ベアラのＩＤを搬送する、送信する段階と
を含む
方法。
【請求項２０】
前記第１のｅＮＢが、前記第１のｅＮＢと前記第１の端末との間に第１の無線ベアラを前記設定する段階は、
前記第１のｅＮＢが、前記第１のｅＮＢと前記第１の端末との間の既存の無線ベアラを前記第１の無線ベアラとして設定する段階であって、前記既存の無線ベアラは、別の第２の端末のサービスデータを伝送するために用いられる、設定する段階、又は
前記第１のｅＮＢが、前記第１のｅＮＢと前記第１の端末との間に前記第１の無線ベアラを確立する段階
を含む、請求項１９に記載の方法。
【請求項２１】
前記方法は更に、
前記第１の端末により送信された前記第２の端末の最初にアクセスされたセルＩＤを受信する段階、
前記第１のｅＮＢのＩＤが、前記最初にアクセスされたセルＩＤと同一である場合に、前記第１のｅＮＢが、前記無線ベアラ変更要求メッセージに従って、前記第１のｅＮＢと前記第１の端末との間に前記第１の無線ベアラを設定する段階、又は
前記第１のｅＮＢのＩＤが、前記最初にアクセスされたセルＩＤと異なる場合に、前記第１のｅＮＢが、前記最初にアクセスされたセルＩＤに対応するソースｅＮＢにハンドオーバ要求メッセージを送信する段階、及び前記ソースｅＮＢにより送信されたハンドオーバ確認メッセージを受信する場合に、前記第１のｅＮＢが、前記無線ベアラ変更要求メッセージに従って、前記第１のｅＮＢと前記第１の端末との間に前記第１の無線ベアラを設定する段階
を含む、請求項１９又は２０に記載の方法。
【請求項２２】
前記方法は更に、
前記第１のｅＮＢが前記第１のＳ１ベアラを介して、前記第２の端末宛てのダウンリンクデータを受信する段階、及び
前記第１のＳ１ベアラをマッピングする前記第１の無線ベアラを介して前記第１の端末に前記ダウンリンクデータを送信する段階、並びに
前記第１のｅＮＢが、前記第１の無線ベアラを介して前記第１の端末からアップリンクデータを受信する段階、及び
前記第１の無線ベアラをマッピングする前記第１のＳ１ベアラを介して前記アップリンクデータを伝送する段階、
の少なくとも一方を含む、請求項１９に記載の方法。
【請求項２３】
前記方法は更に、
第２の無線ベアラがある場合に、前記第２の端末と前記第１のｅＮＢとの間に、前記第１のＳ１ベアラをマッピングする段階、
前記第１のｅＮＢが前記第１のＳ１ベアラを介して、前記第２の端末宛てのダウンリンクデータを受信する段階、及び
前記第１のＳ１ベアラをマッピングする前記第２の無線ベアラを介して前記第２の端末に前記ダウンリンクデータを送信する段階、並びに
前記第１のｅＮＢが、前記第２の無線ベアラを介して前記第２の端末のアップリンクデータを受信する段階、及び
前記第２の無線ベアラをマッピングする前記第１のＳ１ベアラを介して前記アップリンクデータを伝送する段階
の少なくとも一方を含む、請求項１９に記載の方法。
【請求項２４】
接続制御の方法であって、前記方法は、
モビリティ管理エンティティＭＭＥが、第１の端末により送信されたベアラリソース変更要求メッセージを受信する段階であって、前記ベアラリソース変更要求メッセージは、第２の端末のコンテキスト情報を搬送し、前記コンテキスト情報は、少なくとも前記第２の端末の識別子ＩＤを含む、受信する段階と、
前記ＭＭＥが、前記ベアラリソース変更要求メッセージに従って、第１のｅＮＢとサービス提供ゲートウェイＳ‐ＧＷとの間に第２のＳ１ベアラを設定する段階であって、前記第２のＳ１ベアラは、前記第２の端末のサービスデータを伝送するために用いられる、構成する段階と、
前記ＭＭＥが、前記ベアラリソース変更要求メッセージに従って、前記第１のｅＮＢにベアラリソースコマンドメッセージを送信する段階であって、これにより、前記第１のｅＮＢは、前記第１のｅＮＢと前記第１の端末との間に第１の無線ベアラを設定し、前記第１の無線ベアラは、前記第２の端末の前記サービスデータを伝送するために用いられる、送信する段階と
を含む
方法。
【請求項２５】
前記第１のｅＮＢとＳ‐ＧＷとの間に第２のＳ１ベアラを前記設定する段階は、
前記ＭＭＥが、前記第２の端末に前記第２のＳ１ベアラの識別子を割り当てる段階と、
前記ＭＭＥが、前記Ｓ‐ＧＷにベアラリソースコマンドメッセージを送信する段階であって、前記ベアラリソースコマンドメッセージは、前記第２のＳ１ベアラの前記識別子を搬送する、送信する段階と、
前記ＭＭＥが、前記Ｓ‐ＧＷにより送信されたベアラ作成要求メッセージを受信する段階と、
前記ＭＭＥが、前記ベアラ作成要求メッセージに従って、前記第１のｅＮＢにＥ‐ＵＴＲＡＮ無線アクセスベアラＥ‐ＲＡＢ変更要求メッセージを送信する段階と、
前記ＭＭＥが、前記Ｅ‐ＲＡＢ変更要求メッセージに従って、前記第１のｅＮＢにより送信されたＥ‐ＲＡＢベアラ設定変更応答メッセージを受信する段階と、
前記ＭＭＥが、前記Ｅ‐ＲＡＢベアラ設定変更応答メッセージに従って前記Ｓ‐ＧＷにベアラ作成応答メッセージを送信する段階であって、これにより前記Ｓ‐ＧＷと前記第１のｅＮＢとの間に前記第２のＳ１ベアラを確立する、送信する段階と
を含む、請求項２４に記載の方法。
【請求項２６】
請求項１３から２５の何れか一項に記載の方法をコンピュータに実行させるプログラム。
【発明の詳細な説明】
【技術分野】
【０００１】
本発明は、通信技術の分野に関し、特に、接続制御装置及び方法に関する。
【背景技術】
【０００２】
通信ネットワークが配置されると、ネットワークの完全かつシームレスなカバレッジを保証することはできない。特に、（地震又は津波等の）自然災害が発生すると、基地局は通常損傷を受ける。その結果、基地局のカバレッジエリア内の端末と基地局との間の通信が中断される。
【０００３】
近年、Ｄ２Ｄ（Ｄｅｖｉｃｅ‐ｔｏ‐Ｄｅｖｉｃｅ、デバイスツーデバイス）通信モードが開発されている。このＤ２Ｄ通信モードでは、ユーザ機器が別のユーザ機器と直接通信し、ユーザ機器と別のユーザ機器との間のデータ伝送に基地局又はネットワークは必要とされない。故に、小さなネットワーク信号カバレッジ及び公共安全（Ｐｕｂｌｉｃ  Ｓａｆｅｔｙ）緊急事態において発生する起こりうる通信中断等の、既存の通信ネットワーク上の欠点をある程度回避することができる。
【０００４】
図１は、Ｄ２Ｄ通信モードの配置シナリオを示す。ＳＴＡ（Ｓｔａｔｉｏｎ、ステーション）のカバレッジエリア（図で示される楕円領域）の外に位置するＵＥ  ａが、ＳＴＡのカバレッジエリア内のＵＥ  ｘとＤ２Ｄ通信を実行し得、これにより、ＵＥ  ａは、ＳＴＡと通信することができない場合に、ＵＥ  ｘと通信し得る。
【０００５】
Ｄ２Ｄ通信モードでは、ＵＥ  ａがＳＴＡと通信できない場合に、ＵＥ  ａは、ＳＴＡのカバレッジエリア内に位置するＵＥ  ｘと通信し得るが、ＵＥ  ａは、ＳＴＡを用いてネットワークにアクセスすることはできない。例えば、従来のセル通信のシナリオでは、ＵＥ  ａがＳＴＡのカバレッジエリア内に位置する場合に、ＵＥ  ａは、ＳＴＡへの通信接続を確立し、ＳＴＡを用いてネットワークとデータ伝送を実行し得る。端末は通常移動機能を有する。故に、ＵＥ  ａがＳＴＡのカバレッジエリアから外へ移動する場合に、ＵＥ  ａは、ＵＥ  ｘとのＤ２Ｄ通信を実行し得るが、ＵＥ  ａは、ＵＥ  ｘを用いてネットワークにアクセスすることはできない。その結果、ＵＥ  ａとネットワークとの間のデータ伝送が中断され、これによりＵＥ  ａのネットワークサービス品質に影響を及ぼす。
【発明の概要】
【０００６】
本発明は、端末がＳＴＡのカバレッジエリア内の端末とＤ２Ｄ通信を実行する場合に、端末が、ＳＴＡを用いてネットワークにアクセスすることができないという課題を解決するための接続制御装置及び方法を提供する。
【０００７】
前述の技術的課題を解決するために、本発明の実施形態は、以下の技術的解決法を開示する。
【０００８】
第１態様によると、受信ユニット、送信ユニット、及び処理ユニットを含み、
受信ユニットは、第２の端末により送信されたリンク設定要求メッセージを受信するように構成され、リンク設定要求メッセージは、第２の端末のコンテキスト情報を搬送し、コンテキスト情報は、少なくとも第２の端末の識別子ＩＤを含み、
送信ユニットは、リンク設定要求メッセージに従って、ネットワーク側デバイスにベアラ設定要求メッセージを送信するように構成され、ベアラ設定要求メッセージは、無線ベアラ変更要求メッセージ又はベアラリソース変更要求メッセージを含み、ベアラ設定要求メッセージは、コンテキスト情報を搬送し、ベアラ設定要求メッセージは、ネットワーク側デバイスにサービスベアラを設定するように要求するために用いられ、サービスベアラは、第２の端末のサービスデータを伝送するために用いられ、
受信ユニットは更に、ベアラ設定要求メッセージに従って、ネットワーク側デバイスにより送信されたベアラ設定完了メッセージを受信するように構成され、ベアラ設定完了メッセージは、サービスベアラのＩＤを搬送し、
処理ユニットは、サービスベアラと第２の端末との間にマッピング関係を確立するように構成され、
送信ユニットは更に、マッピング関係が確立された後、第２の端末にリンク設定完了メッセージを送信するように構成され、これにより、第２の端末は、第１の端末を用いてサービスベアラを介してネットワーク側デバイスとデータ伝送を実行する、
装置が提供される。
【０００９】
第１態様を参照すると、第１態様の第１の可能な実施例において、リンク設定要求メッセージに従って、ネットワーク側デバイスにベアラ設定要求メッセージを送信する場合に、送信ユニットは、具体的には、
コンテキスト情報に従って、第１の端末にサービス提供する第１の基地局ｅＮＢに無線ベアラ変更要求メッセージを送信し、これにより、第１のｅＮＢは、第１のｅＮＢと第１の端末との間に第１の無線ベアラを設定し、第１の無線ベアラは、第２の端末のサービスデータを伝送するために用いられる、送信するように構成される。
【００１０】
第１態様を参照すると、第１態様の第２の可能な実施例において、リンク設定要求メッセージに従って、ネットワーク側デバイスにベアラ設定要求メッセージを送信する場合に、送信ユニットは、具体的には、
コンテキスト情報に従って、モビリティ管理エンティティＭＭＥにベアラリソース変更要求メッセージを送信し、これにより、ＭＭＥは、第１のｅＮＢとサービス提供ゲートウェイＳ‐ＧＷとの間に第２のＳ１ベアラを設定し、ＭＭＥは、第１のｅＮＢを制御して第１のｅＮＢと第１の端末との間に第１の無線ベアラを設定し、第２のＳ１ベアラ及び第１の無線ベアラは、第２の端末のサービスデータを伝送するために用いられる、送信するように構成される。
【００１１】
第１態様の第１の又は第２の可能な実施例を参照すると、第１態様の第３の可能な実施例において、サービスベアラと第２の端末との間にマッピング関係を確立する場合に、処理ユニットは具体的には、
第１の無線ベアラのＩＤと第２の端末のＩＤとの間にマッピング関係を確立し、
第１の無線ベアラのＩＤと第１のＩＰアドレスとの間にマッピング関係を確立し、コンテキスト情報は更に、第２の端末にデータゲートウェイＰ‐ＧＷにより割り当てられた第１のＩＰアドレスを含む、又は
第２の端末に第２のＩＰアドレスを割り当て、第１のＩＰアドレスと第２のＩＰアドレスとの間にマッピング関係を確立し、第１の無線ベアラのＩＤと第２のＩＰアドレスとの間にマッピング関係を確立し、コンテキスト情報は更に、第２の端末にデータゲートウェイＰ‐ＧＷにより割り当てられた第１のＩＰアドレスを含む、
ように構成される。
【００１２】
第１態様を参照すると、第１態様の第４の可能な実施例において、コンテキスト情報は更に、第２の端末の最初にアクセスされたセルＩＤを含み、
受信ユニットは更に、コンテキスト情報における第２の端末の最初にアクセスされたセルＩＤを受信するように構成され、
送信ユニットは更に、第１のｅＮＢに第２の端末の最初にアクセスされたセルＩＤを送信するように構成される。
【００１３】
第２態様によると、受信ユニット、送信ユニット、及び処理ユニットを含み、
受信ユニットは、第１の端末により送信された無線ベアラ変更要求メッセージを受信するように構成され、無線ベアラ変更要求メッセージは、第２の端末のコンテキスト情報を搬送し、コンテキスト情報は、少なくとも第２の端末の識別子ＩＤを含み、
処理ユニットは、無線ベアラ変更要求メッセージに従って、第１のｅＮＢと第１の端末との間に第１の無線ベアラを設定するように構成され、第１の無線ベアラは、第２の端末のサービスデータを伝送するために用いられ、
処理ユニットは更に、第２の端末のＩＤに対応する第１のＳ１ベアラについて第１のｅＮＢの既存のＳ１ベアラを検索するように構成され、
処理ユニットは更に、第１の無線ベアラと第１のＳ１ベアラとの間にマッピング関係を確立するように構成され、
送信ユニットは、マッピング関係が確立された後、第１の端末にベアラ設定完了メッセージを送信するように構成され、ベアラ設定完了メッセージは、第１の無線ベアラのＩＤを搬送する、
装置が提供される。
【００１４】
第２態様を参照すると、第２態様の第１の可能な実施例において、第１のｅＮＢと第１の端末との間に第１の無線ベアラを設定する場合に、処理ユニットは具体的には、
第１のｅＮＢと第１の端末との間の既存の無線ベアラを第１の無線ベアラとして設定し、既存の無線ベアラは、別の第２の端末のサービスデータを伝送するために用いられる、又は
第１のｅＮＢと第１の端末との間に第１の無線ベアラを確立する、
ように構成される。
【００１５】
第２態様又は第２態様の第１の可能な実施例を参照すると、第２態様の第２の可能な実施例において、方法は更に、
受信ユニットは更に、第１の端末により送信された第２の端末の最初にアクセスされたセルＩＤを受信するように構成されること、
処理ユニットは更に、第１のｅＮＢのＩＤが最初にアクセスされたセルＩＤと同一である場合に、無線ベアラ変更要求メッセージに従って、第１のｅＮＢと第１の端末との間に第１の無線ベアラを設定するように構成されること、又は
送信ユニットは更に、第１のｅＮＢのＩＤが最初にアクセスされたセルＩＤと異なる場合に、最初にアクセスされたセルＩＤに対応するソースｅＮＢにハンドオーバ要求メッセージを送信するように構成されること、
受信ユニットは更に、ソースｅＮＢにより送信されたハンドオーバ確認メッセージを受信するように構成されること、
処理ユニットは更に、ハンドオーバ確認メッセージが受信される場合に、無線ベアラ変更要求メッセージに従って、第１のｅＮＢと第１の端末との間に第１の無線ベアラを設定するように構成されること
を含む。
【００１６】
第３態様によると、受信ユニット、送信ユニット、及び処理ユニットを含み、
受信ユニットは、第１の端末により送信されたベアラリソース変更要求メッセージを受信するように構成され、ベアラリソース変更要求メッセージは、第２の端末のコンテキスト情報を搬送し、コンテキスト情報は、少なくとも第２の端末の識別子ＩＤを含み、
処理ユニットは、ベアラリソース変更要求メッセージに従って、第１のｅＮＢとサービス提供ゲートウェイＳ‐ＧＷとの間に第２のＳ１ベアラを設定するように構成され、第２のＳ１ベアラは、第２の端末のサービスデータを伝送するために用いられ、
送信ユニットは、ベアラリソース変更要求メッセージに従って、第１のｅＮＢにベアラリソースコマンドメッセージを送信するように構成され、これにより、第１のｅＮＢは、第１のｅＮＢと第１の端末との間に第１の無線ベアラを設定し、第１の無線ベアラは、第２の端末のサービスデータを伝送するために用いられる、
装置が提供される。
【００１７】
第３態様を参照すると、第３態様の第１の可能な実施例において、処理ユニットは更に、第２の端末に第２のＳ１ベアラの識別子を割り当てるように構成され、
送信ユニットは更に、Ｓ‐ＧＷにベアラリソースコマンドメッセージを送信するように構成され、ベアラリソースコマンドメッセージは、第２のＳ１ベアラの識別子を搬送し、
受信ユニットは更に、Ｓ‐ＧＷにより送信されたベアラ作成要求メッセージを受信するように構成され、
送信ユニットは更に、ベアラ作成要求メッセージに従って、第１のｅＮＢにＥ‐ＲＡＢ変更要求メッセージを送信するように構成され、
受信ユニットは更に、Ｅ‐ＲＡＢ変更要求メッセージに従って、第１のｅＮＢにより送信されたＥ‐ＲＡＢベアラ設定変更応答メッセージを受信するように構成され、
送信ユニットは更に、Ｅ‐ＲＡＢベアラ設定変更応答メッセージに従って、Ｓ‐ＧＷにベアラ作成応答メッセージを送信するように構成され、これによりＳ‐ＧＷと第１のｅＮＢとの間に第２のＳ１ベアラを確立する。
【００１８】
第４態様によると、接続制御の方法が提供され、方法は、
第１の端末が、第２の端末により送信されたリンク設定要求メッセージを受信する段階であって、リンク設定要求メッセージは、第２の端末のコンテキスト情報を搬送し、コンテキスト情報は、少なくとも第２の端末の識別子ＩＤを含む、受信する段階と、
第１の端末が、リンク設定要求メッセージに従って、ネットワーク側デバイスにベアラ設定要求メッセージを送信する段階であって、ベアラ設定要求メッセージは、少なくとも無線ベアラ変更要求メッセージ又はベアラリソース変更要求メッセージを含み、ベアラ設定要求メッセージは、コンテキスト情報を搬送し、ベアラ設定要求メッセージは、ネットワーク側デバイスにサービスベアラを設定するように要求するために用いられ、サービスベアラは、第２の端末のサービスデータを伝送するために用いられる、送信する段階と、
第１の端末が、ベアラ設定要求メッセージに従ってネットワーク側デバイスにより送信されたベアラ設定完了メッセージを受信する段階であって、ベアラ設定完了メッセージは、サービスベアラのＩＤを搬送する、受信する段階と、
第１の端末が、サービスベアラと第２の端末との間のマッピング関係を確立する段階と、
第１の端末が、マッピング関係が確立された後に第２の端末にリンク設定完了メッセージを送信する段階であって、これにより、第２の端末は、第１の端末を用いてサービスベアラを介してネットワーク側デバイスとデータ伝送を実行する、送信する段階と
を含む。
【００１９】
第４態様を参照すると、第４態様の第１の可能な実施例において、第１の端末が、リンク設定要求メッセージに従ってネットワーク側デバイスにベアラ設定要求メッセージを送信する段階は、
第１の端末がコンテキスト情報に従って、第１の端末にサービス提供する第１の基地局ｅＮＢに無線ベアラ変更要求メッセージを送信する段階であって、これにより、第１のｅＮＢは、第１のｅＮＢと第１の端末との間に第１の無線ベアラを設定し、第１の無線ベアラは、第２の端末のサービスデータを伝送するために用いられる、送信する段階
を含む。
【００２０】
第４態様を参照すると、第４態様の第２の可能な実施例において、第１の端末が、リンク設定要求メッセージに従って、ネットワーク側デバイスにベアラ設定要求メッセージを送信する段階は、
第１の端末が、コンテキスト情報に従って、モビリティ管理エンティティＭＭＥにベアラリソース変更要求メッセージを送信し、これにより、ＭＭＥは、第１のｅＮＢとサービス提供ゲートウェイＳ‐ＧＷとの間に第２のＳ１ベアラを設定し、ＭＭＥは、第１のｅＮＢを制御して第１のｅＮＢと第１の端末との間に第１の無線ベアラを設定し、第２のＳ１ベアラ及び第１の無線ベアラは、第２の端末のサービスデータを伝送するために用いられる、送信する段階
を含む。
【００２１】
第４態様の第１の又は第２の可能な実施例を参照すると、第４態様の第３の可能な実施例において、第１の端末が、サービスベアラと第２の端末との間のマッピング関係を確立する段階は、
第１の端末が、第１の無線ベアラのＩＤと第２の端末のＩＤとの間のマッピング関係を確立する段階、
前第１の端末が、記第１の無線ベアラのＩＤと第１のＩＰアドレスとの間のマッピング関係を確立する段階であって、コンテキスト情報は更に、第２の端末にデータゲートウェイＰ‐ＧＷにより割り当てられた第１のＩＰアドレスを含む、確立する段階、又は
第１の端末が、第２の端末に第２のＩＰアドレスを割り当て、第１のＩＰアドレスと第２のＩＰアドレスとの間にマッピング関係を確立し、第１の無線ベアラのＩＤと第２のＩＰアドレスとの間にマッピング関係を確立する段階であって、コンテキスト情報は更に、第２の端末にＰ‐ＧＷにより割り当てられた第１のＩＰアドレスを含む、確立する段階
を含む。
【００２２】
第４態様を参照すると、第４態様の第４の可能な実施例において、コンテキスト情報は更に、第２の端末の最初にアクセスされたセルＩＤを含み、方法は更に、
第１の端末が、コンテキスト情報における第２の端末の最初にアクセスされたセルＩＤを受信する段階と、
第１の端末が、第１のｅＮＢに第２の端末の最初にアクセスされたセルＩＤを送信する段階と
を含む。
【００２３】
第５態様によると、接続制御の方法が提供され、方法は、
第１の基地局ｅＮＢが、第１の端末により送信された無線ベアラ変更要求メッセージを受信する段階であって、無線ベアラ変更要求メッセージは、第２の端末のコンテキスト情報を搬送し、コンテキスト情報は、少なくとも第２の端末の識別子ＩＤを含む、受信する段階と、
第１のｅＮＢが、無線ベアラ変更要求メッセージに従って、第１のｅＮＢと第１の端末との間に第１の無線ベアラを設定する段階であって、第１の無線ベアラは、第２の端末のサービスデータを伝送するために用いられる、構成する段階と、
第１のｅＮＢが、第２の端末のＩＤに対応する第１のＳ１ベアラについて第１のｅＮＢの既存のＳ１ベアラを検索する段階と、
第１のｅＮＢが、第１の無線ベアラと第１のＳ１ベアラとの間にマッピング関係を確立する段階と、
第１のｅＮＢが、マッピング関係が確立された後、第１の端末にベアラ設定完了メッセージを送信する段階であって、ベアラ設定完了メッセージは、第１の無線ベアラのＩＤを搬送する、送信する段階と
を含む。
【００２４】
第５態様を参照すると、第５態様の第２の可能な実施例において、第１のｅＮＢが、第１のｅＮＢと第１の端末との間の第１の無線ベアラを設定する段階は、
第１のｅＮＢが、第１のｅＮＢと第１の端末との間の既存の無線ベアラを第１の無線ベアラとして設定する段階であって、既存の無線ベアラは、別の第２の端末のサービスデータを伝送するために用いられる、設定する段階、又は
第１のｅＮＢが、第１のｅＮＢと第１の端末との間に第１の無線ベアラを確立する段階
を含む。
【００２５】
第５態様又は第５態様の第１の可能な実施例を参照すると、第５態様の第２の可能な実施例において、方法は更に、
第１の端末により送信された第２の端末の最初にアクセスされたセルＩＤを受信する段階、
第１のｅＮＢのＩＤが最初にアクセスされたセルＩＤと同一である場合に、第１のｅＮＢが、無線ベアラ変更要求メッセージに従って、第１のｅＮＢと第１の端末との間に第１の無線ベアラを設定する段階、又は
第１のｅＮＢのＩＤが最初にアクセスされたセルＩＤと異なる場合に、第１のｅＮＢが、最初にアクセスされたセルＩＤに対応するソースｅＮＢにハンドオーバ要求メッセージを送信する段階、及びソースｅＮＢにより送信されたハンドオーバ確認メッセージを受信する場合に、第１のｅＮＢが、無線ベアラ変更要求メッセージに従って、第１のｅＮＢと第１の端末との間に第１の無線ベアラを設定する段階
を含む。
【００２６】
第６態様によると、接続制御の方法が提供され、方法は、
モビリティ管理エンティティＭＭＥが、第１の端末により送信されたベアラリソース変更要求メッセージを受信する段階であって、ベアラリソース変更要求メッセージは、第２の端末のコンテキスト情報を搬送し、コンテキスト情報は、少なくとも第２の端末の識別子ＩＤを含む、受信する段階と、
ＭＭＥが、ベアラリソース変更要求メッセージに従って、第１のｅＮＢとサービス提供ゲートウェイＳ‐ＧＷとの間に第２のＳ１ベアラを設定する段階であって、第２のＳ１ベアラは、第２の端末のサービスデータを伝送するために用いられる、構成する段階と、
ＭＭＥが、ベアラリソース変更要求メッセージに従って、第１のｅＮＢにベアラリソースコマンドメッセージを送信する段階であって、これにより、第１のｅＮＢは、第１のｅＮＢと第１の端末との間に第１の無線ベアラを設定し、第１の無線ベアラは、第２の端末のサービスデータを伝送するために用いられる、送信する段階と
を含む。
【００２７】
第６態様を参照すると、第６態様の第１の可能な実施例において、第１のｅＮＢとＳ‐ＧＷとの間に第２のＳ１ベアラを設定する段階は、
ＭＭＥが、第２の端末に第２のＳ１ベアラの識別子を割り当てる段階と、
ＭＭＥが、Ｓ‐ＧＷにベアラリソースコマンドメッセージを送信する段階であって、ベアラリソースコマンドメッセージは、第２のＳ１ベアラの識別子を搬送する、送信する段階と、
ＭＭＥが、Ｓ‐ＧＷにより送信されたベアラ作成要求メッセージを受信する段階と、
ＭＭＥが、ベアラ作成要求メッセージに従って、第１のｅＮＢにＥ‐ＵＴＲＡＮ無線アクセスベアラＥ‐ＲＡＢ変更要求メッセージを送信する段階と、
ＭＭＥが、Ｅ‐ＲＡＢ変更要求メッセージに従って第１のｅＮＢにより送信されたＥ‐ＲＡＢベアラ設定変更応答メッセージを受信する段階と、
ＭＭＥが、Ｅ‐ＲＡＢベアラ設定変更応答メッセージに従ってＳ‐ＧＷにベアラ作成応答メッセージを送信する段階であって、これにより、Ｓ−ＧＷと第１のｅＮＢとの間に第２のＳ１ベアラを確立する、送信する段階と
を含む。
【００２８】
本発明において提供されている技術的解決法は、以下の有益な効果を有し得る。
【００２９】
本発明において提供されている方法によると、第１の端末は、第２の端末からリンク設定要求を受信し、ネットワーク側デバイスに第２の端末のためのサービスベアラを設定するように要求し得、これにより、第２の端末は、第１の端末を用いてサービスベアラを介してネットワーク側デバイスとデータ伝送を実行し得る。
【００３０】
方法によると、第１の端末とＤ２Ｄ通信を実行する場合に、第２の端末は、第１の端末を用いてネットワークにアクセスし得、データ伝送を実行する。このように、第２の端末が基地局に直接アクセスすることができない場合に、第２の端末のネットワークサービス品質が、第１の端末を用いて改善され得る。
【００３１】
前述の一般的な説明及び以下の詳細な説明は、説明のための例に過ぎず、本発明を限定することを意図されないことが理解されるべきである。
【図面の簡単な説明】
【００３２】
本出願の一部である明細書中の添付の図面は、本発明の更なる理解のために用いられる。本発明における例示的な実施形態及びその説明は、本発明における説明のためのものであり、本発明にいかなる不適切な制限も与えない。添付の図面において、
【００３３】
【図１】Ｄ２Ｄ通信モードが用いられる配置シナリオの図である。
【００３４】
【図２】本発明の実施形態に係る、接続制御の方法が適用され得るネットワークアーキテクチャの概略図である。
【００３５】
【図３】本発明の実施形態に係る、接続確立の方法の概略フローチャートである。
【００３６】
【図４】本発明の実施形態に係る、ベアラマッピング方法の概略図である。
【００３７】
【図５】本発明の実施形態に係る、他の接続確立の方法の概略フローチャートである。
【００３８】
【図６】本発明の実施形態に係る、他のベアラマッピング方法の概略図である。
【００３９】
【図７】本発明の実施形態に係る、更に他のベアラマッピング方法の概略図である。
【００４０】
【図８】本発明の実施形態に係る、更に他のベアラマッピング方法の概略図である。
【００４１】
【図９】本発明の実施形態に係る、接続制御の方法が適用され得る他のネットワークアーキテクチャの概略図である。
【００４２】
【図１０】本発明の実施形態に係る、更に他のベアラマッピング方法の概略図である。
【００４３】
【図１１】本発明の実施形態に係る、接続制御の方法が適用され得る更に他のネットワークアーキテクチャの概略図である。
【００４４】
【図１２】本発明の実施形態に係る、更に他の接続確立の方法の概略フローチャートである。
【００４５】
【図１３】本発明の実施形態に係る、更に他のベアラマッピング方法の概略図である。
【００４６】
【図１４】本発明の実施形態に係る、シグナリングフローチャートである。
【００４７】
【図１５】本発明の実施形態に係る、他のシグナリングフローチャートである。
【００４８】
【図１６】本発明の実施形態に係る、更に他のシグナリングフローチャートである。
【００４９】
【図１７】本発明の実施形態に係る、接続制御装置の概略構造図である。
【００５０】
【図１８】本発明の実施形態に係る、他の接続制御装置の概略構造図である。
【００５１】
【図１９】本発明の実施形態に係る、更に他の接続制御装置の概略構造図である。
【００５２】
【図２０】本発明の実施形態に係る、端末の概略構造図である。
【００５３】
【図２１】本発明の実施形態に係る、ｅＮＢの概略構造図である。
【００５４】
【図２２】本発明の実施形態に係る、ＭＭＥの概略構造図である。
【００５５】
本発明の実施形態における、又は従来技術における技術的解決法をより明確に説明すべく、実施形態又は従来技術を説明するために必要な添付の図面を以下で簡潔に説明する。明らかに、当業者は、これらの添付の図面から創造努力をすることなく他の図面を更に導き出し得る。
【発明を実施するための形態】
【００５６】
当業者が本発明における技術的解決法をより良く理解できるよう、以下で、本発明の実施形態における添付の図面を参照して、本発明の実施形態における技術的解決法を明確かつ完全に説明する。説明される実施形態は、本発明の実施形態の全てではなく、その一部に過ぎないことは明らかである。創造努力をすることなく本発明の実施形態に基づいて当業者によって取得される全ての他の実施形態は、本発明の保護範囲内に属するものとする。
【００５７】
本発明の実施形態において提供されている接続制御の方法は、ＴＤ‐ＬＴＥ（Ｔｉｍｅ  Ｄｉｖｉｓｉｏｎ  Ｌｏｎｇ  Ｔｅｒｍ  Ｅｖｏｌｕｔｉｏｎ、時分割ロングタームエボリューション）システム、又はＦＤＤ‐ＬＴＥ（Ｆｒｅｑｕｅｎｃｙ  Ｄｉｖｉｓｉｏｎ  Ｄｕａｌ  Ｌｏｎｇ  Ｔｅｒｍ  Ｅｖｏｌｕｔｉｏｎ、周波数分割多重ロングタームエボリューション）システム等のＬＴＥ（Ｌｏｎｇ  Ｔｅｒｍ  Ｅｖｏｌｕｔｉｏｎ、ロングタームエボリューション）通信システムに適用され得、又はＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ、ワイドバンド符号分割多重アクセス）システム、ＴＤ‐ＳＣＤＭＡ（Ｔｉｍｅ  Ｄｉｖｉｓｉｏｎ‐Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ、時分割同期符号分割多重アクセス）システム、及びＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎ、汎欧州デジタル移動電話方式）等の他の通信システムに適用され得る。以上に列挙された複数のシステムは、本発明の実施形態における説明のための例に過ぎず、本発明において提供されている方法は、他の適切な通信システムにも適用され得る。これらに対して本発明において制限は設定されない。
【００５８】
ＬＴＥ通信システムが、本発明の実施形態における説明のための例として用いられる。図２は、本発明の実施形態に係る、接続制御の方法が適用され得るネットワークアーキテクチャの概略図である。図２を参照すると、第１の端末１、第２の端末２、及び第１のｅＮＢ（ｅｖｏｌｖｅｄ  ＮｏｄｅＢ、発展型ノードＢ）３が図に含まれる。第１の端末１は、第１のｅＮＢ３のカバレッジエリア内に位置し、第２の端末２は、第１のｅＮＢ３のカバレッジエリアから外へ移動し、第１の端末１及び第２の端末２は、Ｄ２Ｄ通信を実行し得る。第１のｅＮＢ３は、ネットワークサーバ４に接続され、ネットワークサーバ４は、ＭＭＥ（Ｍｏｂｉｌｉｔｙ  Ｍａｎａｇｅｍｅｎｔ  Ｅｎｔｉｔｙ、モビリティ管理エンティティ）、Ｓ‐ＧＷ（Ｓｅｒｖｉｎｇ  ＧａｔｅＷａｙ、サービス提供ゲートウェイ）、又はＰ‐ＧＷ（Ｐｕｂｌｉｃ  Ｄａｔａ  Ｎｅｔｗｏｒｋ  ＧａｔｅＷａｙ、パブリックデータネットワークゲートウェイ）のうちの何れか１つであり得る。本発明のこの実施形態において、ネットワーク側デバイスは、通信ネットワークにおける端末のピアネットワークデバイスである。図２で示される第１のｅＮＢ３及びネットワークサーバ４の両方は、ネットワーク側デバイスと称され得る。
【００５９】
本発明の実施形態に係る接続制御の方法を説明するため、以下で第１の端末が例として用いられる。図３に示すとおり、接続確立の方法は、以下の段階を含む。
【００６０】
Ｓ１０１：第１の端末が、第２の端末により送信されたリンク設定要求メッセージを受信する。
【００６１】
第１の端末及び第２の端末は、Ｄ２Ｄ通信を実行し得、故に、この段階において、第２の端末は、Ｄ２Ｄ通信モードで第１の端末にリンク設定要求メッセージを送信し得る。リンク設定要求メッセージは、第１の端末とネットワークデバイスとの間に、第２の端末のサービスデータを伝送するための通信接続を確立することを要求するために用いられる。
【００６２】
本発明のこの実施形態において、トリガ条件が満たされた後、第２の端末は、第１の端末へ接続する、即ち、第１の端末とＤ２Ｄ通信を実行することを決定し得る。トリガ条件は、以下の通りであり得る。ＲＬＦ（Ｒａｄｉｏ  Ｌｉｎｋ  Ｆａｉｌｕｒｅ、無線リンク障害）が、第２の端末上で発生する、第２の端末とｅＮＢとの間の信号の品質が、閾値より低い、第２の端末が、セルの縁にある、等である。
【００６３】
Ｄ２Ｄ通信を実行する前に、第２の端末はまず、第１の端末への直接通信確立要求を開始する。第１の端末が、第２の端末のＤ２Ｄ通信接続確立要求を受け取る場合、第１の端末は、第２の端末に、Ｄ２Ｄ通信を完成するための設定情報を含むＤ２Ｄ通信確立応答メッセージを送信する。Ｄ２Ｄ通信確立設定情報を受信し、設定を完了した後、第２の端末は、第１の端末にＤ２Ｄ通信設定完了メッセージを送信する。本発明のこの実施形態において、リンク設定要求メッセージは、第２の端末により送信された直接通信確立要求メッセージ、又は第２の端末により送信されたＤ２Ｄ通信設定完了メッセージであり得る。
【００６４】
本発明のこの実施形態において、リンク設定要求メッセージは、第２の端末のコンテキスト情報を搬送し得る。第２の端末のコンテキスト情報は、第２の端末が、第２の端末が最初にアクセスする基地局のカバレッジエリア内にある場合に、ネットワーク側デバイスと通信リンクを確立するために第２の端末により用いられる、第２の端末の識別子ＩＤ等のパラメータ情報である。第２の端末の識別子ＩＤは、ｅＮＢに格納された第２の端末のＩＤ、又はＭＭＥ、Ｓ‐ＧＷ、若しくはＰ‐ＧＷに格納された第２の端末のＩＤであり得、第１のｅＮＢに格納された第２の端末のＩＤは、ＭＭＥ、Ｓ‐ＧＷ、若しくはＰ‐ＧＷに格納された第２の端末のＩＤと異なり得る。第１のｅＮＢに格納された第２の端末のＩＤは、Ｃ‐ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ、セル無線ネットワーク一時識別子）であり得、ＭＭＥ、Ｓ‐ＧＷ、又はＰ‐ＧＷに格納された第２の端末のＩＤは、ＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ、国際移動体装置識別番号）、ＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ、一時的移動体加入者識別情報）、又はＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ、国際移動体加入者識別番号）であり得る。第２の端末の最初にアクセスされたセル識別子ＩＤは、ＥＣＧＩ（Ｅ‐ＵＴＲＡＮ  Ｃｅｌｌ  Ｇｌｏｂａｌ  Ｉｄｅｎｔｉｆｉｅｒ、発展型ユニバーサル地上無線アクセスネットワークセルグローバル識別子）であり得る。
【００６５】
加えて、別の実施形態において、コンテキスト情報は、第２の端末の最初にアクセスされたセル識別子ＩＤ、又は第２の端末にＰ‐ＧＷにより割り当てられた第１のＩＰアドレス等のパラメータを代替的に搬送し得る。
【００６６】
Ｓ１０２：第１の端末は、リンク設定要求メッセージに従って、ネットワーク側デバイスにベアラ設定要求メッセージを送信する。
【００６７】
本発明のこの実施形態において、ベアラ設定要求メッセージは、少なくとも無線ベアラ変更要求メッセージ又はベアラリソース変更要求メッセージを含む。ベアラ設定要求メッセージは通常、第２の端末のコンテキスト情報を搬送する。ベアラ設定要求メッセージは、ネットワーク側デバイスにサービスベアラを設定するように要求するために用いられ、サービスベアラは、第２の端末のサービスデータを伝送するために用いられる。
【００６８】
サービスベアラは、第１の端末を用いてネットワークにアクセスするために第２の端末により用いられ得るリンクを指す。実施形態において、ネットワーク側デバイスが第１のｅＮＢである場合に、サービスベアラは、第１の端末と第１のｅＮＢとの間の無線ベアラであり得る。具体的な実施形態において、無線ベアラはまた、エンドツーエンド（ＥＮＤ‐ｔｏ‐ＥＮＤ）ベアラと称され得る。対応して、段階Ｓ１０２は、以下の段階を含み得る。
コンテキスト情報に従って、第１の端末にサービス提供する第１の基地局ｅＮＢに無線ベアラ変更要求メッセージ（Ｒａｄｉｏ  Ｂｅａｒｅｒ  Ｍｏｄｉｆｉｃａｔｉｏｎ  Ｒｅｑｕｅｓｔ）を送信し、これにより第１の端末にサービス提供する第１の基地局ｅＮＢにベアラ設定要求メッセージを送信する。
【００６９】
無線ベアラ変更要求メッセージを受信した後、第１のｅＮＢは、第２の端末のために第１のｅＮＢと第１の端末との間に第１の無線ベアラを設定し、第１の無線ベアラを第２の端末のサービスデータを伝送するためのサービスベアラとして用いる。
【００７０】
別の実施形態において、ネットワーク側デバイスがＭＭＥである場合に、サービスベアラは、第１の端末と第１のｅＮＢとの間の無線ベアラ、及び第１のｅＮＢとＳ‐ＧＷとの間のＥＰＳ（Ｅｖｏｌｖｅｄ  Ｐａｃｋｅｔ  Ｓｙｓｔｅｍ、発展型パケットシステム）ベアラに対応するＳ１ベアラであり得る。即ち、サービスベアラは、無線ベアラ及びＳ１ベアラの両方により形成されるリンクである。対応して、段階Ｓ１０２は、以下の段階を含み得る。
コンテキスト情報に従って、モビリティ管理エンティティＭＭＥにベアラリソース変更要求メッセージ（Ｒｅｑｕｅｓｔ  Ｂｅａｒｅｒ  Ｒｅｓｏｕｒｃｅ  Ｍｏｄｉｆｉｃａｔｉｏｎ）を送信する。
【００７１】
ベアラリソース変更要求メッセージを受信した後、ＭＭＥは、第２の端末のために第１のｅＮＢとＳ‐ＧＷとの間に第２のＳ１ベアラを設定し、ＭＭＥは、第１のｅＮＢを制御して第１のｅＮＢと第１の端末との間に第１の無線ベアラを設定し、設定された第２のＳ１ベアラ及び第１の無線ベアラを第２の端末のサービスデータを伝送するためのサービスベアラとして用いる。加えて、ネットワークの制御下では、Ｓ‐ＧＷとＰ‐ＧＷとの間のベアラが、Ｓ５／Ｓ８ベアラと称され得、Ｓ５／Ｓ８は、Ｓ１ベアラを確立するプロセスにおいて確立される。以下では、特に指定しない限り、Ｓ１ベアラが確立される場合に、Ｓ１ベアラに対応するＳ５／Ｓ８ベアラもデフォルトで確立される。
【００７２】
Ｓ１０３：第１の端末は、ベアラ設定要求メッセージに従って、ネットワーク側デバイスにより送信されたベアラ設定完了メッセージを受信する。
【００７３】
ベアラ更新要求を受信する場合に、ネットワーク側デバイスは、第２の端末のために、第１の端末を用いてネットワークにアクセスするために用いられるサービスベアラを設定する。設定を完了した後、ネットワーク側デバイスは、ベアラ設定完了メッセージを生成し、第１の端末にベアラ設定完了メッセージを送信する。ベアラ設定完了メッセージは、第１の端末と第１のｅＮＢとの間の第１の無線ベアラのＩＤ等のサービスベアラのＩＤを搬送する。
【００７４】
Ｓ１０４：第１の端末は、サービスベアラと第２の端末との間のマッピング関係を確立する。
【００７５】
ネットワーク側デバイスが第２の端末のためのサービスベアラを設定することを完了することを決定した後、第１の端末は、サービスベアラと第２の端末との間のマッピング関係を局所的に確立し、これにより、第１の端末は、データを受信及び伝送する場合にマッピング関係に従ってデータ伝送を実行し得る。例えば、アップリンクデータ伝送段階において、第１の端末は、サービスベアラを介して第２の端末のアップリンクデータを送信し得る。ダウンリンクデータ伝送段階において、第１の端末は、サービスベアラを介して第２の端末に、第２の端末宛てのダウンリンクデータを送信し得、これにより、第２の端末とネットワークとの間のデータ伝送を実施する。
【００７６】
Ｓ１０５：第１の端末は、マッピング関係を確立した後、第２の端末にリンク設定完了メッセージを送信する。
【００７７】
リンク設定完了メッセージは、第２の端末にサービスベアラが設定されたことを通知するために主に用いられ、第２の端末が、第１の端末を用いてサービスベアラを介してネットワーク側デバイスとデータ伝送を実行し得ることを示す。
【００７８】
本発明のこの実施形態において提供されている方法によると、第１の端末は、第２の端末からリンク設定要求メッセージを受信し、ネットワーク側デバイスに第２の端末のためのサービスベアラを設定するように要求し得、これにより、第２の端末は、第１の端末を用いてサービスベアラを介してネットワーク側デバイスとデータ伝送を実行し得る。
【００７９】
本発明のこの実施形態において、サービスベアラが、第１の端末と第１のｅＮＢとの間の第１の無線ベアラであるか、又は第１の端末と第１のｅＮＢとの間の第１の無線ベアラ及び第１のｅＮＢとゲートウェイとの間の第２のＳ１ベアラの両方により形成されるリンクであるかどうかに関係なく、サービスベアラと第２の端末との間の結合関係が確立される場合に、第１の無線ベアラのＩＤは、サービスベアラのＩＤを表すために用いられ得る。
【００８０】
本発明の実施形態において、図３で示される実施形態における段階Ｓ１０４は、以下の段階を含み得る。
第１の端末が、第１の無線ベアラのＩＤと第２の端末のＩＤとの間のマッピング関係を確立する段階、
第１の端末が、第１の無線ベアラのＩＤと第１のＩＰアドレスとの間のマッピング関係を確立する段階であって、コンテキスト情報は更に、第２の端末にデータゲートウェイＰ‐ＧＷにより割り当てられた第１のＩＰアドレスを含む、確立する段階、又は
第１の端末が、第２の端末に第２のＩＰアドレスを割り当て、第１のＩＰアドレスと第２のＩＰアドレスとの間のマッピング関係を確立し、第１の無線ベアラのＩＤと第２のＩＰアドレスとの間のマッピング関係を確立する段階であって、コンテキスト情報は更に、第２の端末にデータゲートウェイＰ‐ＧＷにより割り当てられた第１のＩＰアドレスを含む、確立する段階。
【００８１】
第１の端末が第２の端末に第２のＩＰアドレスを割り当てる場合、第１の端末及び第２の端末がデータ伝送を実行する場合に、第２のＩＰアドレスは、常時第２の端末のＩＰアドレスとして用いられ、一方で、第１の端末とＳ‐ＧＷとの間で、第１のＩＰアドレスは、第２の端末のＩＰアドレスとして依然として用いられる。故に、第２の端末がネットワークとデータ伝送を実行するために第２のＩＰアドレスを用いる場合に、アップリンクデータに関して、方法は更に、以下の段階を含み得る。
【００８２】
Ｓ１１：第１の端末は、そのソースＩＰアドレスが第２のＩＰアドレスであり、第２の端末により送信されたアップリンクデータを受信する。
【００８３】
第２の端末のアップリンクデータは、Ｄ２Ｄ通信によって、第１の端末に第２の端末により送信される。第１の端末は、第２の端末に、新たなＩＰアドレス、即ち、第２のＩＰアドレスを割り当てている。故に、第２の端末は、アップリンクデータを送信する場合に、第２のＩＰアドレスをソースＩＰアドレスとして直接用いる。
【００８４】
Ｓ１２：第１の端末は、アップリンクデータのソースＩＰアドレスを第１のＩＰアドレスと置き換える。
【００８５】
第２のＩＰアドレスは、第１の端末及び第２の端末がデータ伝送を実行する場合にのみ用いられる。故に、第１の端末が第２の端末のアップリンクデータをネットワークに送信する必要がある場合に、第２の端末にゲートウェイにより割り当てられた第１のＩＰアドレスは、依然として用いられる必要があり、これにより、第２の端末は、ゲートウェイにより識別され得る。
【００８６】
Ｓ１３：第１の端末は、第２のＩＰアドレスをマッピングする第１の無線ベアラを介して第１のｅＮＢに、そのソースＩＰアドレスが置き換えられたアップリンクデータを送信する。
【００８７】
第２の端末がネットワークとデータ伝送を実行するために第２のＩＰアドレスを用いる場合に、ダウンリンクデータに関して、方法は更に、以下の段階を含み得る。
【００８８】
Ｓ１４：第１の端末は、第２のＩＰアドレスをマッピングする第１の無線ベアラを介して、第２の端末宛てであり、その宛先ＩＰアドレスが第１のＩＰアドレスであるダウンリンクデータを受信する。
【００８９】
ダウンリンクデータは、第１の無線ベアラを介して第２の端末に第１のｅＮＢにより配信される。ネットワーク上では、第２の端末は、第２の端末にゲートウェイにより割り当てられた第１のＩＰアドレスを用いてのみ決定され得る。
【００９０】
Ｓ１５：第１の端末は、ダウンリンクデータの宛先ＩＰアドレスを第２のＩＰアドレスと置き換える。
【００９１】
第２のＩＰアドレスは、第１の端末及び第２の端末がデータ伝送を実行する場合にのみ用いられる。故に、第１の端末が、第２の端末に、第２の端末宛てのダウンリンクデータを送信する必要がある場合に、ダウンリンクデータにおける宛先ＩＰアドレスは、第２のＩＰアドレスと置き換えられる必要があり、これにより、第２の端末は、第２のＩＰアドレスに従って正確に見つけられ得る。
【００９２】
Ｓ１６：第１の端末は、第２の端末に、その宛先ＩＰアドレスが置き換えられたダウンリンクデータを送信する。
【００９３】
本発明の別の実施形態において、第２の端末のコンテキスト情報は更に、第２の端末の最初にアクセスされたセルＩＤを含み得る。故に、方法は更に、以下の段階を含み得る。
第１の端末が、コンテキスト情報における第２の端末の最初にアクセスされたセルＩＤを受信する段階、及び
第１の端末が、第１のｅＮＢに第２の端末の最初にアクセスされたセルＩＤを送信する段階。
【００９４】
この段階に従って、第１のｅＮＢは、第２の端末の最初にアクセスされたセルＩＤを知り得る。
【００９５】
本発明の実施形態に係る接続制御の方法を説明するため、以下で第１のｅＮＢが例として用いられる。
【００９６】
本発明のこの実施形態において、図２を参照すると、第１の端末１は、第１のｅＮＢ３のカバレッジエリア内に位置し、第２の端末２は、第１のｅＮＢ３のカバレッジエリアから外へ移動する。加えて、本発明のこの実施形態において、第１の端末が、中継ＵＥと称され得、第２の端末が、遠隔ＵＥと称され得る。図２を参照すると、第２の端末２が第１のｅＮＢ３のカバレッジエリア内にある場合に、図４を参照すると、第２の端末は、ＵＥ  ａで表され、第１の端末は、中継ＵＥで表される。ＵＥ  ａと第１のｅＮＢとの間に第２の無線ベアラ００１があり、第１のｅＮＢとＳ‐ＧＷとの間に、第２の無線ベアラ００１をマッピングする第１のＳ１ベアラ００２があることが理解されよう。加えて、図４において、ＵＥ  ａにＰ‐ＧＷにより割り当てられたＩＰアドレスは、ＩＰ＝１であり、無線ベアラＩＤは、第２の無線ベアラのＩＤとして用いられ得、ＥＰＳベアラＩＤは、第１のＳ１ベアラのＩＤとして用いられ得る。
【００９７】
図５に示すとおり、接続制御の方法は、以下の段階を含む。
【００９８】
Ｓ２０１：第１の基地局ｅＮＢが、第１の端末により送信された無線ベアラ変更要求メッセージを受信する。
【００９９】
無線ベアラ変更要求メッセージは、第２の端末のコンテキスト情報を搬送し、コンテキスト情報は、少なくとも第２の端末のＩＤを含む。
【０１００】
Ｓ２０２：第１のｅＮＢは、無線ベアラ変更要求メッセージに従って、第１のｅＮＢと第１の端末との間に第１の無線ベアラを設定する。
【０１０１】
第１の無線ベアラは、第２の端末のサービスデータを伝送するために用いられる。第１の無線ベアラの具体的な設定方法は、当業者に一般的に知られている技術であり、詳細は本明細書において説明されない。
【０１０２】
Ｓ２０３：第１のｅＮＢは、第２の端末のＩＤに対応する第１のＳ１ベアラについて、第１のｅＮＢの既存のＳ１ベアラを検索する。
【０１０３】
図２を参照すると、第２の端末が第１のｅＮＢのカバレッジエリアを外へ移動する前に、即ち、第１のｅＮＢのカバレッジエリア内に位置していた第２の端末が第１のｅＮＢのカバレッジエリアから外へ移動した場合、第２の端末は、第１のｅＮＢを用いてネットワークにアクセスし得る。故に、第１のｅＮＢの、第２の端末がネットワークにアクセスするために設定された、第１のＥＰＳベアラがあり、第１のＥＰＳベアラは、本明細書において、第２の端末のための第１のｅＮＢの履歴ＥＰＳベアラと称され得る。本明細書において、ＥＰＳベアラは、無線ベアラ、Ｓ１ベアラ、及びＳ５／Ｓ８ベアラを含む。ＥＰＳベアラの識別子は、端末デバイス、ｅＮＢ、ＭＭＥ、Ｓ‐ＧＷ、又はＰ‐ＧＷ等のデバイスに格納される。故に、無線ベアラ、Ｓ１ベアラ、又はＳ５／Ｓ８ベアラは、ＥＰＳベアラの識別子に従って一意に決定され得る。
【０１０４】
本発明のこの実施形態では、段階Ｓ２０３は、以下の段階を含み得る。
第１のｅＮＢが、コンテキスト情報から第２の端末のＩＤを抽出する段階、及び第２の端末のＩＤに対応する第１のＳ１ベアラ及びＥＰＳベアラの識別子について第１のｅＮＢの全ての既存のＳ１ベアラを検索する段階。
【０１０５】
Ｓ２０４：第１のｅＮＢは、第１の無線ベアラと第１のＳ１ベアラとの間のマッピング関係を確立する。
【０１０６】
本開示のこの実施形態において、マッピング関係は、第１の無線ベアラのＩＤと第１のＳ１ベアラのＩＤとの間のマッピング関係であり得る。マッピング関係を確立した後、第１のｅＮＢは、第１のＳ１ベアラ上に、第１の無線ベアラを介して第２の端末により伝送されたアップリンクデータをマッピングし、次に第１のＳ１ベアラ及びＳ５／Ｓ８ベアラを介してネットワークにアップリンクデータを送信し得る。加えて、第１のｅＮＢはまた、第１の無線ベアラ上に、第２の端末に属し第１のＳ１ベアラを介して受信されたダウンリンクデータをマッピングし、次に第１の無線ベアラ及び第１の端末を用いて第２の端末にダウンリンクデータを送信し得、これにより、第２の端末とネットワークとの間のデータ伝送を実施する。
【０１０７】
Ｓ２０５：第１のｅＮＢは、マッピング関係を確立した後、第１の端末にベアラ設定完了メッセージを送信する。
【０１０８】
ベアラ設定完了メッセージは、第１の無線ベアラのＩＤを搬送する。第１の端末は、ベアラ設定完了メッセージを用いて、第１の無線ベアラが設定されたことを通知され得る。
【０１０９】
図６を参照すると、第２の端末２と第１の端末１との間にＤ２Ｄ通信００４があり、第１の端末１と第１のｅＮＢ３との間に、第２の端末２のサービスデータを伝送するために用いられる第１の無線ベアラ００３がある。実際の応用では、第２の端末２と第１の端末１との間に論理リンクがある。図６は、例示的な目的のために過ぎず、本出願に制限を与えない。
【０１１０】
図６から、第２の端末２は、第１の無線ベアラ００３と第１のＳ１ベアラ００２とを用いて、ゲートウェイとデータ伝送を実行し得ることが理解されよう。
【０１１１】
本発明のこの実施形態において、第１のｅＮＢのカバレッジエリアから外へ移動する第２の端末に関して、第１のｅＮＢは、第１のｅＮＢと第１のｅＮＢのカバレッジエリア内にある第１の端末との間で第１の無線ベアラを設定し、第１の無線ベアラ及び第１の端末を用いて第２の端末に、ネットワークを用いて第２の端末に配信されるダウンリンクデータを送信し得る。加えて、第１のｅＮＢは、第１の無線ベアラを介して、第１の端末を用いて第２の端末により送信されたアップリンクデータを受信し、ゲートウェイ等のデバイスにアップリンクデータを送信し、これにより、第２の端末は、ネットワークとデータ伝送を実行する。
【０１１２】
本発明のこの実施形態において、第２の端末は、第１のｅＮＢのカバレッジエリアから外へ移動し、第２の端末のための第１のＳ１ベアラは、第１のｅＮＢとゲートウェイとの間に維持される。故に、第２の端末は、第２の端末が最初にアクセスする第１のｅＮＢに依然としてアクセスし得る。これにより、接続確立プロセス又は加入者検証プロセス等のプロセスで引き起こされる遅延を短縮し、ネットワークにアクセスするために第２の端末により必要とされる時間を減らすことができる。
【０１１３】
本発明のこの実施形態において、中継ＵＥとして機能する第１の端末は、遠隔ＵＥとして機能する１又は複数の第２の端末とのＤ２Ｄ通信を同時に実行し得る。これは、第１の端末が複数の第２の端末にネットワークアクセスサービスを同時に提供する必要があり得ることを意味する。
【０１１４】
具体的な実施形態において、無線ベアラが、各第２の端末に関して設定され得、各第２の端末によりデータ伝送を実行するために用いられる。故に、段階Ｓ２０２において、第１のｅＮＢは、第２の端末のための第１の無線ベアラを以下の方法で設定し得る。
第１のｅＮＢが、第１のｅＮＢと第１の端末との間に新たな第１の無線ベアラを確立する。
【０１１５】
換言すると、この実施形態において、第１の無線ベアラが、各第２の端末のために第１のｅＮＢと第１の端末との間に確立される。このように、確立された第１の無線ベアラは、１つの第２の端末に固有であり、第２の端末のサービスデータを伝送するために用いられる。図６は、データ伝送の概略図を示す（図６は、１つの第２の端末ＵＥ  ａがあり、別の第２の端末のデータ伝送がＵＥ  ａのそれと同様の場合のみを示す）。加えて、図６において、ＵＥ  ａにＰ‐ＧＷにより割り当てられたＩＰアドレスは、ＩＰ＝１であり、ＵＥ  ａに中継ＵＥにより割り当てられたＩＰアドレスは、ＩＰ＝２である。後続のデータ伝送プロセスについての詳細は、段階Ｓ１１から段階Ｓ１３、段階Ｓ２１、及び段階Ｓ２３の説明が参照され得る。
【０１１６】
別の実施形態において、図７に示すとおり、図７において、中継ＵＥは、ＵＥ  ａのＩＰアドレスを引き続き用いる。故に、データ伝送プロセスにおいて、ＵＥ  ａからのアップリンクデータの全てのソースＩＰアドレスは、ＩＰ＝１であり、ＵＥ  ａ宛てのダウンリンクデータの全ての宛先ＩＰアドレスは、ＩＰ＝１である。
【０１１７】
別の実施形態において、代替的に、少なくとも２つの第２の端末が１つの無線ベアラを共有する。故に、段階Ｓ２０２において、第１のｅＮＢは、第２の端末のための第１の無線ベアラを以下の方法で設定し得る。
第１のｅＮＢが、第１のｅＮＢと第１の端末との間の既存の無線ベアラを第１の無線ベアラとして設定する。
【０１１８】
本明細書において、既存の無線ベアラは、別の第２の端末のサービスデータを伝送するために用いられる。即ち、この実施形態では、第１のｅＮＢと別の第２の端末の第１の端末との間に無線ベアラが確立された後、第１の無線ベアラが後続の第２の端末のために設定される場合に、既存の無線ベアラは、後続の第２の端末に割り当てられ得る。図８に示すとおり、図において、第１の無線ベアラ００３は、複数の第２の端末により共有され得る。図８において、別の第２の端末が、ＵＥ  ｂで表され得る。対応して、全ての第２の端末に対応する第１のＳ１ベアラが、文字を用いて区別される。即ち、ＵＥ  ａは、第１のＳ１ベアラａに対応し、ＵＥ  ｂは、第１のＳ１ベアラｂに対応する。
【０１１９】
加えて、既存の無線ベアラが第１の無線ベアラとして用いられる場合に、第２の端末は、第２の端末のそれと同一のサービス品質要件を有する第１の無線ベアラを共有し得る。即ち、異なるサービス品質要件をもつ複数の既存の無線ベアラが予め確立され、第１の無線ベアラが後続の第２の端末のために設定される場合に、第２の端末のそれと同一のサービス品質要件を有する既存の無線ベアラが、第１の無線ベアラとして選択され得る。即ち、異なる第２の端末は、第２の端末のそれらと同一のサービス品質要件を有する第１の無線ベアラを共有し得る。故に、段階Ｓ２０２において、第１のｅＮＢは、以下の方法で第２の端末のための第１の無線ベアラを設定し得る。
第１のｅＮＢと第１の端末との間にあり、第２の端末のそれと同一のサービス品質要件を有する無線ベアラを第１の無線ベアラとして用いる段階、及び第１のｅＮＢと第１の端末との間にあり、第２の端末により必要とされるサービス品質を満たす無線ベアラがない場合、第２の端末により必要とされるサービス品質を満たす無線ベアラを確立し、第２の端末に無線ベアラを割り当てる段階。
【０１２０】
第２の端末のための第１の無線ベアラを設定する３つの方法が、段階Ｓ２０２の３つの実装において説明されている。しかしながら、どの設定方法が用いられているかに関係なく、一旦第１の無線ベアラが第２の端末のために設定されると、後続のデータ伝送プロセスにおいて、アップリンクデータに関して、方法は、以下の段階を含み得る。
【０１２１】
Ｓ２１：第１のｅＮＢは、第１のＳ１ベアラを介して、第２の端末宛てのダウンリンクデータを受信する。
【０１２２】
Ｓ２２：第１のｅＮＢは、第１のＳ１ベアラをマッピングする第１の無線ベアラを介して第１の端末にダウンリンクデータを送信する。
【０１２３】
ダウンリンクデータに関して、方法は、以下の段階を含み得る。
【０１２４】
Ｓ２３：第１のｅＮＢは、第１の無線ベアラを介して第１の端末からアップリンクデータを受信する。
【０１２５】
Ｓ２４：第１のｅＮＢは、第１の無線ベアラをマッピングする第１のＳ１ベアラを介してアップリンクデータを伝送する。
【０１２６】
図５で示される実施形態において、第１の端末が第１のｅＮＢのカバレッジエリア内に位置し、第２の端末が第１のｅＮＢのカバレッジエリアから外へ移動するシナリオを用いて説明が提供される。図９を参照すると、本発明の別の実施形態において、第１の端末は、第１のｅＮＢのカバレッジエリア内に位置し、第２の端末も、第１のｅＮＢのカバレッジエリア内に位置し、第２の端末は、第２の無線ベアラを用いて第１のｅＮＢにアクセスする。
【０１２７】
故に、図５で示される実施形態に基づいて、方法は更に、以下の段階を含み得る。
第２の無線ベアラを維持する段階であって、第２の無線ベアラと第１のＳ１ベアラとの間にマッピング関係がある、維持する段階。
【０１２８】
第２の無線ベアラが維持される場合に、第２の端末に関して、一方で、第２の端末は、第２の無線ベアラを直接用いて第１のｅＮＢとデータ伝送を実行し得る。他方で、第２の端末はまた、第１の端末とＤ２Ｄ通信を実行し、次に第１の端末と第１のｅＮＢとの間の第１の無線ベアラを用いて第１のｅＮＢとデータ伝送を実行し得る。
【０１２９】
図１０に示すとおり、ＵＥ  ａは、第２の無線ベアラ及び第１の無線ベアラを同時に有し得、第２の無線ベアラ及び第１の無線ベアラを同時に用いて第１のｅＮＢにアクセスし得ることが図１０から理解されよう。
【０１３０】
故に、本発明の実施形態において、ダウンリンクデータに関して、方法は更に、以下の段階を含み得る。
【０１３１】
Ｓ３１：第１のｅＮＢは、第１のＳ１ベアラを介して、第２の端末宛てのダウンリンクデータを受信する。
【０１３２】
Ｓ３２：第１のｅＮＢは、第１のＳ１ベアラをマッピングする第２の無線ベアラを介して第２の端末にダウンリンクデータを送信する。
【０１３３】
本発明の別の実施形態において、段階Ｓ３２において、第２の端末宛てのダウンリンクデータは、第２の無線ベアラ又は第１の無線ベアラを介して送信され得る。代替的に、第２の端末宛てのダウンリンクデータは、第２の無線ベアラ及び第１の無線ベアラを介して送信され得る。例えば、第２の端末宛てのダウンリンクデータは、少なくとも２つの部分に分割され、いくつかの部分が、第２の無線ベアラを介して第２の端末に送信され、残りの部分は、第１の端末を用いて第１の無線ベアラを介して第２の端末に送信される。
【０１３４】
本発明の別の実施形態において、アップリンクデータに関して、方法は更に、以下の段階を含み得る。
【０１３５】
Ｓ３３：第１のｅＮＢは、第２の無線ベアラを介して、第２の端末からアップリンクデータを受信する。
【０１３６】
Ｓ３４：第１の無線ベアラ及び第２の無線ベアラをマッピングする第１のＳ１ベアラを用いてアップリンクデータを伝送する。
【０１３７】
本発明の別の実施形態において、段階Ｓ３３において、第２の端末のアップリンクデータは、第２の無線ベアラ又は第１の無線ベアラを介して受信され得る。代替的に、第２の端末のアップリンクデータは、第２の無線ベアラ及び第１の無線ベアラを介して別個に受信され得る。例えば、第２の端末のアップリンクデータは、少なくとも２つの部分に分割され、いくつかの部分が、第２の無線ベアラを介して送信され、残りの部分は、第１の端末を用いて第１の無線ベアラを介して送信される。
【０１３８】
図１１で示されるシナリオの概略図を参照すると、本発明の別の実施形態において、第１の端末１が、第１のｅＮＢ３のカバレッジエリア内に位置し、第２の端末２が、ソースｅＮＢ５のカバレッジエリア内に最初に位置し、ソースｅＮＢ５のカバレッジエリアから外へ移動し、第１のｅＮＢ３のカバレッジエリアの外に位置する。第２の端末２及び第１の端末１は、Ｄ２Ｄ通信を実行し得る。
【０１３９】
図１１で示されるシナリオにおいて、第２の端末２のためのソースｅＮＢ５のＳ１ベアラがあるが、第２の端末２のための第１のｅＮＢのＳ１ベアラはない。故に、まず、第２の端末２がアクセスする基地局が、ソースｅＮＢ５から第１のｅＮＢ３に切り替えられる必要があり、次に第２の端末２は、第１の端末１及び第１のｅＮＢ３を用いてネットワークにアクセスし得る。
【０１４０】
故に、本発明のこの実施形態において、第２の端末２のコンテキスト情報は更に、第２の端末２の最初にアクセスされたセルＩＤ、即ち、ソースｅＮＢ５のＩＤを搬送し得る。段階Ｓ２０１の後、方法は更に、以下の段階を含み得る。
第１のｅＮＢのＩＤが最初にアクセスされたセルＩＤと同一である場合に、段階Ｓ２０２を実行する段階、又は
第１のｅＮＢのＩＤが最初にアクセスされたセルＩＤと異なる場合に、最初にアクセスされたセルＩＤに対応するソースｅＮＢ５にハンドオーバ要求メッセージを送信する段階、及びソースｅＮＢ５により送信されたハンドオーバ確認メッセージが受信された場合に、段階Ｓ２０２を実行する段階。
【０１４１】
ハンドオーバ要求を受信した後、ソースｅＮＢ５は、基地局間で第２の端末２をハンドオーバし、第１のｅＮＢ３に第２の端末をハンドオーバし、ハンドオーバを完了した後、第１のｅＮＢにハンドオーバ確認メッセージを送信し得る。当技術分野において、基地局間でハンドオーバするプロセスは、当業者に一般的に知られている技術であり、詳細は本明細書では説明されない。
【０１４２】
基地局間でのハンドオーバが完了した後、１つのシナリオにおいて、第２の端末は、いつでも第１のｅＮＢのカバレッジエリア内に移動し得る。この場合、第１のｅＮＢは、ＭＭＥに新たなＳ１ベアラを確立するように要求し、次に第２の端末のための新たな無線ベアラを確立する。このように、第２の端末は、第１の端末及び第１のｅＮＢを用いてネットワークと通信を実行し得る。
【０１４３】
加えて、基地局間でのハンドオーバが完了した後、別のシナリオにおいて、第２の端末は、いつでもソースｅＮＢのカバレッジエリアに戻り得る。故に、第２の端末のコンテキスト情報は、ソースｅＮＢ内に維持され、タイマーが開始される。タイマーが満了すると、ソースｅＮＢ内に維持されている第２の端末のコンテキスト情報は、解放される。このようにして、ソースｅＮＢのカバレッジエリアに移動する場合に、第２の端末は、ソースｅＮＢに迅速にアクセスし得る。
【０１４４】
加えて、基地局間でのハンドオーバが完了した後、更に別のシナリオにおいて、第２の端末がソースｅＮＢのカバレッジエリア内に移動する場合は考慮され得ない。故に、本発明のこの実施形態において、方法は更に、以下の段階を含み得る。
第１の無線ベアラが第１のｅＮＢと第１の端末との間に設定された後に、第１のｅＮＢが、ソースｅＮＢにベアラ解放要求を送信し、これにより、ソースｅＮＢは、第２の端末のコンテキスト情報を解放する。
【０１４５】
ソースｅＮＢの利用は、ベアラ解放要求を送信することによって改善され得る。
【０１４６】
本発明の実施形態に係る接続制御の方法を説明するため、以下でＭＭＥが例として用いられる。
【０１４７】
図２、図９、及び図１１で示される全てのシナリオにおいて、第２の端末は、リンク設定要求メッセージを生成し、第１の端末にリンク設定要求メッセージを送信し得る。第１の端末は、ベアラ設定要求メッセージを生成し、ＭＭＥにベアラ設定要求メッセージを送信し、これにより、ＭＭＥは、第２の端末に関して、新たなＥＰＳベアラ、即ち、Ｓ−ＧＷと第１の端末との間の新たな無線ベアラ及びＳ１ベアラを直接確立する。
【０１４８】
図１２に示すとおり、接続制御の方法は、以下の段階を含む。
【０１４９】
段階Ｓ３０１：ＭＭＥが、第１の端末により送信されたベアラリソース変更要求メッセージを受信する。
【０１５０】
ベアラ更新要求は、第２の端末のコンテキスト情報を搬送し、コンテキスト情報は、少なくとも第２の端末の識別子を含む。
【０１５１】
段階Ｓ３０２：ＭＭＥは、ベアラリソース変更要求メッセージに従って、第１のｅＮＢとサービス提供ゲートウェイＳ‐ＧＷとの間に第２のＳ１ベアラを設定する。
【０１５２】
第２のＳ１ベアラは、第２の端末のサービスデータを伝送するために用いられ、第２のＳ１ベアラの識別子は、第２の端末のＩＤに対応し得る。
【０１５３】
段階Ｓ３０３：ＭＭＥは、ベアラリソース変更要求メッセージに従って、第１のｅＮＢにベアラリソースコマンドメッセージを送信する。
【０１５４】
この段階に従って、第１のｅＮＢは、第２の端末のために第１のｅＮＢと第１の端末との間に第１の無線ベアラを設定し得る。
【０１５５】
図１３を参照すると、図において、第２のＳ１ベアラ００６及び第１の無線ベアラ００３がある。この方法の実施形態に従って、ＵＥ  ａは、中継ＵＥ及び第１のｅＮＢを用いて第１の無線ベアラ及び第２のＳ１ベアラを介してネットワークとデータ伝送を実行し得る。
【０１５６】
図５で示される実施形態と比較すると、本発明のこの実施形態において提供されている方法において、中継ＵＥは、第１の端末とゲートウェイとの間に真新しい独立したベアラを確立する。加えて、Ｐ‐ＧＷは、データマッピングプロセスにおける処理を実行し、即ち、第２の端末のデータ伝送プロセス全体において、Ｐ‐ＧＷと中継ＵＥとの間のマッピングが実行され、一方、図５で示される実施形態において、第１のｅＮＢと中継ＵＥとの間のデータマッピングプロセスが実行される。
【０１５７】
本発明のこの実施形態において、段階Ｓ３０２が、以下の段階を含み得る。
【０１５８】
Ｓ３０２１：ＭＭＥは、第２の端末に第２のＳ１ベアラの識別子ＩＤを割り当てる。
【０１５９】
ベアラリソースコマンドは、第２の端末に割り当てられた第２のＥＰＳベアラの識別子を搬送する。第２のＥＰＳベアラの識別子は、第２のＳ１ベアラを識別するために用いられ得る。
【０１６０】
Ｓ３０２２：ＭＭＥは、Ｓ‐ＧＷにベアラリソースコマンドメッセージを送信し、ベアラリソースコマンドメッセージは、第２のＳ１ベアラの識別子ＩＤを搬送する。
【０１６１】
Ｓ３０２３：ＭＭＥは、Ｓ‐ＧＷにより送信されたベアラ作成要求メッセージを受信する。
【０１６２】
Ｓ３０２４：ＭＭＥは、ベアラ作成要求メッセージに従って、第１のｅＮＢにベアラ設定Ｅ‐ＲＡＢ変更要求メッセージを送信する。
【０１６３】
Ｓ３０２５：ＭＭＥは、Ｅ‐ＲＡＢ（Ｅｖｏｌｕｔｉｏｎ  Ｒａｄｉｏ  Ａｃｃｅｓｓ  Ｂｅａｒｅｒ、Ｅ−ＵＴＲＡＮ無線アクセスベアラ）変更要求メッセージに従って、第１のｅＮＢにより送信されたＥ‐ＲＡＢベアラ設定変更応答メッセージを受信する。
【０１６４】
Ｓ３０２６：ＭＭＥは、Ｅ‐ＲＡＢベアラ設定変更応答メッセージに従って、Ｓ‐ＧＷにベアラ作成応答メッセージを送信し、これによりＳ‐ＧＷと第１のｅＮＢとの間に第２のＳ１ベアラを確立する。
【０１６５】
前述の段階に従って、第２のＳ１ベアラ、即ち、ＥＰＳベアラは、Ｓ‐ＧＷと第１のｅＮＢとの間に確立され得る。本発明のこの実施形態において、Ｓ１ベアラ、即ち、ＥＰＳベアラを確立するプロセスは、当業者に一般的に知られており、詳細は本明細書において説明されない。
【０１６６】
本発明のこの実施形態において提供されている方法は、具体的な実施形態を用いて以下で説明される。
【０１６７】
（１）図１４は、本発明の実施形態に係る、シグナリングフローチャートである。
【０１６８】
本発明のこの実施形態において、図１４に示すとおり、図において、第１の端末が中継ＵＥであり、第２の端末がＵＥ  ａである。加えて、中継ＵＥは、第１のｅＮＢのカバレッジエリア内に位置し、ＵＥ  ａは、第１のｅＮＢのカバレッジエリアから外へ移動する。無線ベアラ０００が、中継ＵＥと第１のｅＮＢとの間に設定される。ＵＥ  ａが第１のｅＮＢのカバレッジエリア内に位置する場合に、第２の無線ベアラ００１がＵＥ  ａと第１のｅＮＢとの間に設定され、ＵＥ  ａのデータを伝送するために用いられる第１のＳ１ベアラ００２が、第１のｅＮＢとＳ‐ＧＷとの間に設定される。ＵＥ  ａが第１のｅＮＢのカバレッジエリアから外へ移動する場合に、ＵＥ  ａ及び中継ＵＥは、Ｄ２Ｄ通信を実行し得る。方法は、以下の段階を含み得る。
【０１６９】
Ｓ１‐１：ＵＥ  ａは、中継ＵＥにリンク設定要求メッセージを送信する。
【０１７０】
Ｓ１‐２：中継ＵＥは、第１のｅＮＢに無線ベアラ変更要求メッセージを送信する。
【０１７１】
無線ベアラ変更要求メッセージは、第１のｅＮＢに送信され、これにより、第１のｅＮＢは、ＵＥ  ａのために第１のｅＮＢと中継ＵＥとの間に第１の無線ベアラを設定する。ベアラ更新要求は、ＵＥ  ａの識別子を搬送する。
【０１７２】
Ｓ１‐３：第１のｅＮＢは、無線ベアラ変更要求メッセージに従って中継ＵＥへのＲＲＣ接続を確立する。
【０１７３】
確立されたＲＲＣ接続は、ＵＥ  ａのために第１のｅＮＢと中継ＵＥとの間に設定される第１の無線ベアラであり得る。第１の無線ベアラ００３が、図１４で示される。
【０１７４】
Ｓ１‐４：第１のｅＮＢは、ＵＥ  ａの識別子に対応する第１のＳ１ベアラについて検索し、第１のＳ１ベアラと第１の無線ベアラとの間にマッピング関係を確立する。
【０１７５】
ＵＥ  ａは、第１のｅＮＢのカバレッジエリアから外へ移動する。故に、第１のｅＮＢの、ネットワークにアクセスするためにＵＥ  ａにより用いられる対応する履歴第１のＳ１ベアラがある。第１のｅＮＢの第１のＳ１ベアラは、ＵＥ  ａの識別子を用いて見つけられ得る。
【０１７６】
Ｓ１‐５：中継ＵＥは、第１の無線ベアラとＵＥ  ａとの間のマッピング関係を確立する。
【０１７７】
Ｓ１‐６：中継ＵＥは、リンク設定完了メッセージを生成し、ＵＥ  ａにリンク設定完了メッセージを送信する。
【０１７８】
図１４で示される実施形態によると、ＵＥ  ａがリンク設定完了メッセージを受信した後、ＵＥ  ａは、中継ＵＥ及び第１のｅＮＢを用いて、第１の無線ベアラ００３及び第１のＳ１ベアラ００２を介してネットワークとデータ伝送を実行し得、これにより、ＵＥ  ａは、中継ＵＥを用いてネットワークにアクセスし得ることが理解されよう。
【０１７９】
（２）図１５は、本発明の別の実施形態に係る、シグナリングフローチャートである。
【０１８０】
本発明のこの実施形態において、図１５に示すとおり、図において、第１の端末が中継ＵＥであり、第２の端末がＵＥ  ａである。加えて、中継ＵＥは、第１のｅＮＢのカバレッジエリア内に位置し、ＵＥ  ａは、第１のｅＮＢのカバレッジエリアから外へ移動する。中継サービスデータを伝送するために用いられる無線ベアラ０００が、中継ＵＥと第１のｅＮＢとの間に設定される。ＵＥ  ａが第１のｅＮＢのカバレッジエリア内に位置する場合に、第２の無線ベアラ００１が中継ＵＥと第１のｅＮＢとの間に設定され、ＵＥ  ａのデータを伝送するために用いられる第１のＳ１ベアラ００２が、第１のｅＮＢとＳ‐ＧＷとの間に設定される。ＵＥ  ａが第１のｅＮＢのカバレッジエリアから外へ移動する場合に、中継ＵＥ及びＵＥ  ａは、Ｄ２Ｄ通信を実行し得る。方法は、以下の段階を含み得る。
【０１８１】
Ｓ２‐１：ＵＥ  ａは、中継ＵＥにリンク設定要求メッセージを送信する。
【０１８２】
Ｓ２‐２：中継ＵＥは、ＭＭＥにベアラリソース変更要求メッセージを送信する。
【０１８３】
ベアラリソース変更要求メッセージは、ＭＭＥに送信され、これにより、ベアラリソース変更要求メッセージを受信する場合に、ＭＭＥは、中継ＵＥを制御し得、ＵＥ  ａのためのサービスベアラを設定する。
【０１８４】
Ｓ２‐３：ＭＭＥは、第２の端末に第２のＳ１ベアラの識別子を割り当てる。
【０１８５】
Ｓ２‐４：ＭＭＥは、Ｓ‐ＧＷにベアラリソースコマンドメッセージを送信する。
【０１８６】
ベアラリソースコマンドメッセージは、第２のＳ１ベアラのＩＤを搬送する。
【０１８７】
Ｓ２‐５：Ｓ‐ＧＷ／Ｐ‐ＧＷは、ＭＭＥにベアラ作成要求メッセージを送信する。
【０１８８】
Ｓ２‐６：ＭＭＥは、第１のｅＮＢにＥ‐ＲＡＢ変更要求メッセージを送信する。
【０１８９】
Ｓ２‐７：第１のｅＮＢは、中継ＵＥへのＲＲＣ接続を確立する。
【０１９０】
確立されたＲＲＣ接続は、ＵＥ  ａのために第１のｅＮＢと中継ＵＥとの間に設定される第１の無線ベアラであり得る。第１の無線ベアラ００３が、図１５で示される。
【０１９１】
Ｓ２‐８：第１のｅＮＢは、ＭＭＥにＥ‐ＲＡＢ変更応答メッセージを送信する。
【０１９２】
Ｓ２‐９：ＭＭＥは、Ｓ‐ＧＷにベアラ作成応答メッセージを送信する。
【０１９３】
ベアラ作成応答を受信した後、Ｓ‐ＧＷは、ＵＥ  ａのために第１のｅＮＢとＳ‐ＧＷとの間に第２のＳ１ベアラを確立し得る。第２のＳ１ベアラ００６が、図１５で示される。
【０１９４】
Ｓ２‐１０：第１のｅＮＢは、第２のＳ１ベアラと第１の無線ベアラとの間のマッピング関係を確立する。
【０１９５】
Ｓ２‐１１：中継ＵＥは、第１の無線ベアラとＵＥ  ａとの間のマッピング関係を確立する。
【０１９６】
Ｓ２‐１２：中継ＵＥは、リンク設定完了メッセージを生成し、ＵＥ  ａにリンク設定完了メッセージを送信する。
【０１９７】
図１５で示される実施形態によると、ＵＥ  ａがリンク設定完了メッセージを受信した後、ＵＥ  ａは、中継ＵＥ及び第１のｅＮＢを用いて、第１の無線ベアラ００３及び第２のＳ１ベアラ００６を介してネットワークとデータ伝送を実行し得、これにより、ＵＥ  ａは、中継ＵＥを用いてネットワークにアクセスし得ることが理解されよう。
【０１９８】
（３）図１６は、本発明の別の実施形態に係る、シグナリングフローチャートである。
【０１９９】
本発明のこの実施形態において、図１６に示すとおり、図において、第１の端末が中継ＵＥであり、第２の端末がＵＥ  ａである。加えて、中継ＵＥは、第１のｅＮＢのカバレッジエリア内に位置し、ＵＥ  ａは、ソースｅＮＢのカバレッジエリア内に位置し、第１のｅＮＢのカバレッジエリアの外に位置する。無線ベアラ０１０が、ＵＥ  ａとソースｅＮＢとの間に設定され、無線ベアラ０１２が、中継ＵＥと第１のｅＮＢとの間に設定され、第１の端末のサービスデータを伝送するために用いられるＳ１ベアラ０１３が、第１のｅＮＢとＳ‐ＧＷとの間に設定される。ＵＥ  ａ及び中継ＵＥは、Ｄ２Ｄ通信を実行し得る。方法は、以下の段階を含み得る。
【０２００】
Ｓ３‐１：ＵＥ  ａは、中継ＵＥにリンク設定要求メッセージを送信する。
【０２０１】
Ｓ３‐２：中継ＵＥは、第１のｅＮＢに無線ベアラ変更要求メッセージを送信する。
【０２０２】
無線ベアラ変更要求メッセージは、第１のｅＮＢに送信され、これにより、第１のｅＮＢは、ＵＥ  ａのために第１のｅＮＢと中継ＵＥとの間に第１の無線ベアラを設定する。無線ベアラ変更要求メッセージは、ＵＥ  ａの識別子を搬送する。無線ベアラ変更要求メッセージは更に、ＵＥ  ａの最初にアクセスされたセルＩＤ、即ち、ソースｅＮＢによりサービス提供されたセルのＩＤを搬送する。
【０２０３】
Ｓ３‐３：第１のｅＮＢは、ソースｅＮＢにハンドオーバ要求メッセージを送信する。
【０２０４】
ＵＥ  ａがアクセスする基地局は、ハンドオーバ要求を送信することによってソースｅＮＢから第１のｅＮＢに切り替えられ得る。
【０２０５】
Ｓ３‐４：ソースｅＮＢは、第１のｅＮＢにハンドオーバ要求確認メッセージを送信する。
【０２０６】
Ｓ３‐５：第１のｅＮＢは、ＭＭＥにＥＰＳベアラ設定要求メッセージを送信する。
【０２０７】
第１のｅＮＢがハンドオーバ要求確認メッセージを受信した後、サービスベアラが、ＵＥ  ａがネットワークにアクセスするために確立され得ることを示す。しかしながら、ＵＥ  ａは、前に第１のｅＮＢにアクセスしていないので、ＵＥ  ａのための第１のｅＮＢのＳ１ベアラはない。故に、第１のｅＮＢは、ＭＭＥにＥＰＳベアラ設定要求メッセージを送信する必要があり、これにより、ＭＭＥは、ＵＥ  ａのために第１のｅＮＢとＳ‐ＧＷとの間に新たなＳ１ベアラを設定する。
【０２０８】
Ｓ３‐６：ＭＭＥは、第２の端末に第２のＳ１ベアラの識別子を割り当て、第２のＳ１ベアラの識別子は、第２の端末にＭＭＥにより割り当てられたＥＰＳの識別子により表され得る。
【０２０９】
Ｓ３‐７：ＭＭＥは、Ｓ‐ＧＷにベアラリソースコマンドメッセージを送信する。
【０２１０】
ベアラリソースコマンドメッセージは、第２のＳ１ベアラのＩＤを搬送する。
【０２１１】
Ｓ３‐８：Ｓ‐ＧＷ／Ｐ‐ＧＷは、ＭＭＥにベアラ作成要求メッセージを送信する。
【０２１２】
Ｓ３‐９：ＭＭＥは、第１のｅＮＢにＥ‐ＲＡＢ変更要求メッセージを送信する。
【０２１３】
Ｓ３‐１０：第１のｅＮＢは、中継ＵＥへのＲＲＣ接続を確立する。
【０２１４】
確立されたＲＲＣ接続は、ＵＥ  ａのために第１のｅＮＢと中継ＵＥとの間に設定される第１の無線ベアラであり得る。第１の無線ベアラ００３が、図１６で示される。
【０２１５】
Ｓ３‐１１：第１のｅＮＢは、ＭＭＥにＥ‐ＲＡＢ変更応答メッセージを送信する。
【０２１６】
Ｓ３‐１２：ＭＭＥは、Ｓ‐ＧＷにベアラ作成応答メッセージを送信する。
【０２１７】
ベアラ作成応答メッセージを受信した後、Ｓ‐ＧＷは、ＵＥ  ａのために第１のｅＮＢとＳ‐ＧＷ／Ｐ‐ＧＷとの間に第２のＳ１ベアラを確立し得る。第２のＳ１ベアラ００５が、図１６で示される。
【０２１８】
Ｓ３‐１３：第１のｅＮＢは、第２のＳ１ベアラと第１の無線ベアラとの間のマッピング関係を確立する。
【０２１９】
Ｓ３‐１４：中継ＵＥは、第１の無線ベアラとＵＥ  ａとの間のマッピング関係を確立する。
【０２２０】
Ｓ３‐１５：中継ＵＥは、リンク設定完了メッセージを生成し、ＵＥ  ａにリンク設定完了メッセージを送信する。
【０２２１】
図１６で示される実施形態によると、最初にソースｅＮＢにアクセスするＵＥ  ａが中継ＵＥと直接通信を実行する場合に、ＵＥ  ａは、中継ＵＥにリンク設定要求メッセージを送信し得、これにより、中継ＵＥは、第１のｅＮＢに無線ベアラ変更要求メッセージを送信することが理解されよう。第１のｅＮＢが無線ベアラ変更要求メッセージを受信した後、基地局の切り替えが第１のｅＮＢとソースｅＮＢとの間で実行され、第１のｅＮＢは、ＭＭＥにＥＰＳベアラ設定要求を開始し、これにより、ＵＥ  ａのために第１のｅＮＢとＳ‐ＧＷ／Ｐ‐ＧＷとの間に第２のＳ１ベアラを確立し、第１のｅＮＢは更に、ＵＥ  ａのために第１のｅＮＢと中継ＵＥとの間に第１の無線ベアラを確立する。このように、ＵＥ  ａがリンク設定完了メッセージを受信した後、ＵＥ  ａは、中継ＵＥ及び第１のｅＮＢを用いて、第１の無線ベアラ００３及び第２のＳ１ベアラ００５を介してネットワークとデータ伝送を実行し得、これにより、ＵＥ  ａは、中継ＵＥを用いてネットワークにアクセスし得る。
【０２２２】
前述の方法の実施形態の説明から、当業者であれば、本発明がソフトウェアと必要なユニバーサルハードウェアプラットフォームによって実施され得、確かに、ハードウェアによって実施され得ることを明確に理解し得ることが理解されよう。しかしながら、ほとんどの場合、前者の実装が好ましい。そのような理解に基づき、本発明の技術的解決法の、本質、又は従来技術に寄与する一部は、ソフトウェア製品の形態で具現化され得る。コンピュータソフトウェア製品は、記憶媒体に格納され得、（パーソナルコンピュータ、サーバ、ネットワークデバイス等であり得る）コンピュータデバイスに、本発明の実施形態において説明されている方法の段階の全ての又はいくつかを実行するよう指示するためのいくつかの命令を含む。記憶媒体は、プログラムコードを格納し得る、リードオンリメモリ（ＲＯＭ）、ランダムアクセスメモリ（ＲＡＭ）、磁気ディスク、又は光ディスク等の媒体である。
【０２２３】
本発明の図３において提供されている接続制御の方法の実施形態に対応して、ｅＮＢに適用される接続制御装置が更に本発明において提供される。図１７に示すとおり、接続制御装置は、受信ユニット１７１、送信ユニット１７２、及び処理ユニット１７３を含み得る。
【０２２４】
受信ユニット１７１は、第２の端末により送信されたリンク設定要求メッセージを受信するように構成される。リンク設定要求メッセージは、第２の端末のコンテキスト情報を搬送し、コンテキスト情報は、少なくとも第２の端末の識別子ＩＤを含む。
【０２２５】
送信ユニット１７２は、リンク設定要求メッセージに従って、ネットワーク側デバイスにベアラ設定要求メッセージを送信するように構成される。ベアラ設定要求メッセージは、無線ベアラ変更要求メッセージ又はベアラリソース変更要求メッセージを含む。ベアラ設定要求メッセージは、コンテキスト情報を搬送し、ベアラ設定要求メッセージは、ネットワーク側デバイスにサービスベアラを設定するように要求するために用いられる。サービスベアラは、第２の端末のサービスデータを伝送するために用いられる。
【０２２６】
受信ユニット１７１は更に、ベアラ設定要求メッセージに従って、ネットワーク側デバイスにより送信されたベアラ設定完了メッセージを受信するように構成される。ベアラ設定完了メッセージは、サービスベアラのＩＤを搬送する。
【０２２７】
処理ユニット１７３は、サービスベアラと第２の端末との間にマッピング関係を確立するように構成される。
【０２２８】
送信ユニット１７２は更に、マッピング関係が確立された後、第２の端末にリンク設定完了メッセージを送信するように構成され、これにより、第２の端末は、第１の端末を用いてサービスベアラを介してネットワーク側デバイスとデータ伝送を実行する。
【０２２９】
本発明の実施形態において、図１７で示される送信ユニット１７２が、リンク設定要求メッセージに従ってネットワーク側デバイスにベアラ設定要求メッセージを送信する段階は、
コンテキスト情報に従って、第１の端末にサービス提供する第１の基地局ｅＮＢに無線ベアラ変更要求メッセージを送信する段階であって、これにより、第１のｅＮＢは、第１のｅＮＢと第１の端末との間に第１の無線ベアラを設定し、第１の無線ベアラは、第２の端末のサービスデータを伝送するために用いられる、送信する段階
を含む。
【０２３０】
本発明の別の実施形態において、図１７で示される送信ユニット１７２が、リンク設定要求メッセージに従ってネットワーク側デバイスにベアラ設定要求メッセージを送信する段階は、
コンテキスト情報に従ってモビリティ管理エンティティＭＭＥにベアラリソース変更要求メッセージを送信する段階であって、これにより、ＭＭＥは、第１のｅＮＢとサービス提供ゲートウェイＳ‐ＧＷとの間に第２のＳ１ベアラを設定し、ＭＭＥは、第１のｅＮＢを制御して第１のｅＮＢと第１の端末との間に第１の無線ベアラを設定し、第２のＳ１ベアラ及び第１の無線ベアラは、第２の端末のサービスデータを伝送するために用いられる、送信する段階
を含む。
【０２３１】
本発明の別の実施形態において、図１７で示される処理ユニット１７３が、サービスベアラと第２の端末との間にマッピング関係を確立する段階は、
第１の無線ベアラのＩＤと第２の端末のＩＤとの間にマッピング関係を確立する段階、
第１の無線ベアラのＩＤと第１のＩＰアドレスとの間のマッピング関係を確立する段階であって、コンテキスト情報は更に、第２の端末にデータゲートウェイＰ‐ＧＷにより割り当てられた第１のＩＰアドレスを含む、確立する段階、又は
第２の端末に第２のＩＰアドレスを割り当て、第１のＩＰアドレスと第２のＩＰアドレスとの間にマッピング関係を確立し、第１の無線ベアラのＩＤと第２のＩＰアドレスとの間にマッピング関係を確立する段階であって、コンテキスト情報は更に、第２の端末にデータゲートウェイＰ‐ＧＷにより割り当てられた第１のＩＰアドレスを含む、確立する段階
を含む。
【０２３２】
本発明の別の実施形態において、アップリンク方向において、受信ユニット１７１は更に、そのソースＩＰアドレスが第２のＩＰアドレスであり、第２の端末により送信されたアップリンクデータを受信するように構成され、アップリンクデータのソースＩＰアドレスは、第２のＩＰアドレスである。処理ユニット１７２は更に、アップリンクデータのソースＩＰアドレスを第１のＩＰアドレスと置き換えるように構成される。送信ユニット１７３は更に、第２のＩＰアドレスをマッピングする第１の無線ベアラを介して第１のｅＮＢに、そのソースＩＰアドレスが置き換えられたアップリンクデータを送信するように構成される。
【０２３３】
ダウンリンク方向において、受信ユニット１７１は更に、第２のＩＰアドレスをマッピングする第１の無線ベアラを介して、第２の端末宛てであり、その宛先ＩＰアドレスが第１のＩＰアドレスであるダウンリンクデータを受信するように構成され、ダウンリンクデータの宛先ＩＰアドレスは、第１のＩＰアドレスである。処理ユニット１７３は更に、ダウンリンクデータの宛先ＩＰアドレスを第２のＩＰアドレスと置き換えるように構成される。送信ユニット１７２は更に、第２の端末に、その宛先ＩＰアドレスが置き換えられたダウンリンクデータを送信するように構成される。
【０２３４】
本発明の別の実施形態において、第２の端末のコンテキスト情報は更に、第２の端末の最初にアクセスされたセルＩＤを含む。受信ユニット１７１は更に、コンテキスト情報における第２の端末の最初にアクセスされたセルＩＤを受信するように構成される。送信ユニット１７２は更に、第１のｅＮＢに第２の端末の最初にアクセスされたセルＩＤを送信するように構成される。この実施形態において、第１のｅＮＢは、第２の端末の最初にアクセスされたセルＩＤを知り得る。
【０２３５】
本発明の図５において提供されている接続制御の方法の実施形態に対応して、端末に適用される接続制御装置が更に本発明において提供される。図１８に示すとおり、接続制御装置は、受信ユニット１８１、送信ユニット１８２、及び処理ユニット１８３を含み得る。
【０２３６】
受信ユニット１８１は、第１の端末により送信された無線ベアラ変更要求メッセージを受信するように構成される。無線ベアラ変更要求メッセージは、第２の端末のコンテキスト情報を搬送し、コンテキスト情報は、少なくとも第２の端末の識別子を含む。
【０２３７】
処理ユニット１８３は、無線ベアラ変更要求メッセージに従って、第１のｅＮＢと第１の端末との間に第１の無線ベアラを設定するように構成される。第１の無線ベアラは、第２の端末のサービスデータを伝送するために用いられる。
【０２３８】
処理ユニット１８３は更に、第２の端末の識別子ＩＤに対応する第１のＳ１ベアラについて、第１のｅＮＢのものであり、第１のｅＮＢとサービス提供ゲートウェイＳ‐ＧＷとの間にある既存のＳ１ベアラを検索するように構成される。
【０２３９】
処理ユニット１８３は更に、第１の無線ベアラと第１のＳ１ベアラとの間にマッピング関係を確立するように構成される。
【０２４０】
送信ユニット１８２は、マッピング関係が確立された後、第１の端末にベアラ設定完了メッセージを送信するように構成される。ベアラ設定完了メッセージは、第１の無線ベアラのＩＤを搬送する。
【０２４１】
本発明の実施形態において、図１８で示される処理ユニット１８３が、第１のｅＮＢと第１の端末との間に第１の無線ベアラを設定する段階は、
第１のｅＮＢと第１の端末との間の既存の無線ベアラを第１の無線ベアラとして設定する段階であって、既存の無線ベアラは、別の第２の端末のサービスデータを伝送するために用いられる、設定する段階、又は
第１のｅＮＢと第１の端末との間に第１の無線ベアラを確立する段階
を含む。
【０２４２】
本発明の実施形態において、コンテキスト情報は更に、第２の端末の最初にアクセスされたセルＩＤを含む。図１８で示される処理ユニット１８３は更に、第１のｅＮＢのＩＤが最初にアクセスされたセルＩＤと同一である場合に、無線ベアラ変更要求メッセージに従って、第１のｅＮＢと第１の端末との間に第１の無線ベアラを設定するように構成される。
【０２４３】
本発明の実施形態において、図１８で示される送信ユニット１８２は更に、第１のｅＮＢのＩＤが最初にアクセスされたセルＩＤと異なる場合に、最初にアクセスされたセルＩＤに対応するソースｅＮＢにハンドオーバ要求メッセージを送信するように構成される。受信ユニット１８１は更に、ソースｅＮＢにより送信されたハンドオーバ確認メッセージを受信するように構成される。処理ユニット１８３は更に、ソースｅＮＢにより送信されたハンドオーバ確認メッセージが受信される場合に、無線ベアラ変更要求メッセージに従って、第１のｅＮＢと第１の端末との間に第１の無線ベアラを設定するように構成される。
【０２４４】
本発明の実施形態において、アップリンク方向において、図１８で示される受信ユニット１８１は更に、第１のＳ１ベアラを介して、第２の端末宛てのダウンリンクデータを受信するように構成される。送信ユニット１８２は更に、第１のＳ１ベアラをマッピングする第１の無線ベアラを介して第１の端末にダウンリンクデータを送信するように構成され、これにより、第１の端末は、第２の端末にダウンリンクデータを転送する。
【０２４５】
本発明の実施形態において、ダウンリンク方向において、図１８で示される受信ユニット１８１は更に、第１の無線ベアラを介して第２の端末のアップリンクデータを受信するように構成される。送信ユニット１８２は更に、第１の無線ベアラをマッピングする第１のＳ１ベアラを介してアップリンクデータを伝送するように構成される。
【０２４６】
本発明の図１２において提供されている接続制御の方法の実施形態に対応して、ＭＭＥに適用される接続制御装置が更に本発明において提供される。図１９に示すとおり、接続制御装置は、受信ユニット１９１、送信ユニット１９３、及び処理ユニット１９２を含み得る。
【０２４７】
受信ユニット１９１は、第１の端末により送信されたベアラリソース変更要求メッセージを受信するように構成される。ベアラリソース変更要求メッセージは、第２の端末のコンテキスト情報を搬送し、コンテキスト情報は、少なくとも第２の端末の識別子ＩＤを含む。
【０２４８】
処理ユニット１９２は、ベアラリソース変更要求メッセージに従って、第１のｅＮＢとサービス提供ゲートウェイＳ‐ＧＷとの間に第２のＳ１ベアラを設定するように構成される。第２のＳ１ベアラは、第２の端末のサービスデータを伝送するために用いられる。
【０２４９】
送信ユニット１９３は、ベアラリソース変更要求メッセージに従って、第１のｅＮＢに無線リソース制御ＲＲＣ再構成メッセージを送信するように構成され、これにより、第１のｅＮＢは、第１のｅＮＢと第１の端末との間に第１の無線ベアラを設定する。第１の無線ベアラは、第２の端末のサービスデータを伝送するために用いられる。
【０２５０】
本発明の実施形態において、処理ユニット１９２は更に、第２の端末に第２のＳ１ベアラの識別子を割り当てるように構成される。
【０２５１】
送信ユニット１９３は更に、Ｓ‐ＧＷにベアラリソースコマンドメッセージを送信するように構成される。ベアラリソースコマンドメッセージは、第２のＳ１ベアラの識別子を搬送する。
【０２５２】
受信ユニット１９１は更に、Ｓ‐ＧＷにより送信されたベアラ作成要求メッセージを受信するように構成される。
【０２５３】
送信ユニット１９３は更に、ベアラ作成要求メッセージに従って、第１のｅＮＢにベアラ設定要求メッセージを送信するように構成される。
【０２５４】
受信ユニット１９１は更に、ベアラ設定要求メッセージに従って、第１のｅＮＢにより送信されたベアラ設定応答メッセージを受信するように構成される。
【０２５５】
送信ユニット１９３は更に、ベアラ設定応答メッセージに従ってＳ‐ＧＷにベアラ作成応答メッセージを送信するように構成され、これにより、Ｓ‐ＧＷと第１のｅＮＢとの間に第２のＳ１ベアラを確立する。
【０２５６】
本発明の実施形態は更に、端末を提供する。図２０に示すとおり、端末２００は、少なくとも１つのプロセッサ２０１、少なくとも１つの通信バス２０２、少なくとも１つの通信インタフェース２０３、及び少なくとも１つのメモリ２０４を含み得る。
【０２５７】
通信バス２０２は、これらの構成要素間で接続及び通信を実施するように構成される。メモリ２０４は、リードオンリメモリ及びランダムアクセスメモリを含み得、プロセッサ２０１に命令及びデータを提供する。メモリ２０４の一部が更に、不揮発性ランダムアクセスメモリ（ＮＶＲＡＭ）を含み得る。
【０２５８】
いくつかの実装において、メモリ２０４は、以下の要素を格納する：実行可能なモジュール又はデータ構造、又はそのサブセット、又はその拡張セット。この実施形態において、メモリ２０４は、オペレーティングシステムモジュール２０４１及びアプリケーションプログラムモジュール２０４２を含む。
【０２５９】
オペレーティングシステムモジュール２０４１は、様々なシステムプログラムを含み、かつ、様々な基本サービスを実施し、ハードウェアベースのタスクを処理するように構成される。
【０２６０】
アプリケーションプログラムモジュール２０４２は、ランチャ（ｌａｕｎｃｈｅｒ）、メディアプレーヤ（Ｍｅｄｉａ  Ｐｌａｙｅｒ）、ブラウザ（Ｂｒｏｗｓｅｒ）等の様々なアプリケーションプログラムを含み、かつ、様々なアプリケーションサービスを実施するように構成される。
【０２６１】
本発明のこの実施形態において、メモリ２０４により格納されたプログラム又は命令を呼び出すことにより、プロセッサ２０１は、
第２の端末により送信されたリンク設定要求メッセージを受信することであって、リンク設定要求メッセージは、第２の端末のコンテキスト情報を搬送し、コンテキスト情報は、少なくとも第２の端末の識別子ＩＤを含む、受信する、
リンク設定要求メッセージに従って、ネットワーク側デバイスにベアラ設定要求メッセージを送信することであって、ベアラ設定要求メッセージは、少なくとも無線ベアラ変更要求メッセージ又はベアラリソース変更要求メッセージを含み、ベアラ設定要求メッセージは、コンテキスト情報を搬送し、ベアラ設定要求メッセージは、ネットワーク側デバイスにサービスベアラを設定するように要求するために用いられ、サービスベアラは、第２の端末のサービスデータを伝送するために用いられる、送信する、
ネットワーク側デバイスにより送信されたベアラ設定完了メッセージを受信することであって、ベアラ設定完了メッセージは、サービスベアラのＩＤを搬送し、受信する
サービスベアラと第２の端末との間のマッピング関係を確立する、
マッピング関係が確立された後、第２の端末にリンク設定完了メッセージを送信することであって、これにより、第２の端末は、第１の端末を用いてサービスベアラを介してネットワーク側デバイスとデータ伝送を実行する、送信する
ように構成される。
【０２６２】
任意で、リンク設定要求メッセージに従って、ネットワーク側デバイスにベアラ設定要求メッセージを送信する場合に、プロセッサは、具体的には、
コンテキスト情報に従って、第１の端末にサービス提供する第１の基地局ｅＮＢに無線ベアラ変更要求メッセージを送信し、これにより、第１のｅＮＢは、第１のｅＮＢと第１の端末との間の第１の無線ベアラを設定し、第１の無線ベアラは、第２の端末のサービスデータを伝送するために用いられる、送信する
ように構成される。
【０２６３】
任意で、リンク設定要求メッセージに従って、ネットワーク側デバイスにベアラ設定要求メッセージを送信する場合に、プロセッサは具体的には、
コンテキスト情報に従ってモビリティ管理エンティティＭＭＥにベアラリソース変更要求メッセージを送信し、これにより、ＭＭＥは、第１のｅＮＢとサービス提供ゲートウェイＳ‐ＧＷとの間に第２のＳ１ベアラを設定し、ＭＭＥは、第１のｅＮＢを制御して第１のｅＮＢと第１の端末との間に第１の無線ベアラを設定し、第２のＳ１ベアラ及び第１の無線ベアラは、第２の端末のサービスデータを伝送するために用いられる、送信する
ように構成される。
【０２６４】
任意で、サービスベアラと第２の端末との間のマッピング関係を確立する場合に、プロセッサは具体的には、
第１の無線ベアラのＩＤと第２の端末のＩＤとの間のマッピング関係を確立する、
第１の無線ベアラのＩＤと第２の端末のＩＤとの間のマッピング関係を確立する、又は、
第２の端末に第２のＩＰアドレスを割り当て、第１のＩＰアドレスと第２のＩＰアドレスとの間にマッピング関係を確立し、第１の無線ベアラのＩＤと第２のＩＰアドレスとの間にマッピング関係を確立することであって、コンテキスト情報は更に、第２の端末にＰ‐ＧＷにより割り当てられた第１のＩＰアドレスを含む、確立する
ように構成される。
【０２６５】
任意で、プロセッサは更に、
アップリンク方向において、第２の端末のアップリンクデータを受信することであって、アップリンクデータのソースＩＰアドレスは、第２のＩＰアドレスである、受信する、
アップリンクデータのソースＩＰアドレスを第１のＩＰアドレスと置き換える、
第２のＩＰアドレスをマッピングする第１の無線ベアラを介して第１のｅＮＢに、そのＩＰアドレスが置き換えられたアップリンクデータを送信する、並びに／又は
ダウンリンク方向において、第２のＩＰアドレスをマッピングする第１の無線ベアラを介して、第２の端末宛てであり、その宛先ＩＰアドレスが第１のＩＰアドレスであるダウンリンクデータを受信することであって、ダウンリンクデータの宛先ＩＰアドレスは、第１のＩＰアドレスである、受信する、
ダウンリンクデータの宛先ＩＰアドレスを第２のＩＰアドレスと置き換える、
第２の端末に、そのＩＰアドレスが置き換えられたダウンリンクデータを送信する
ように構成される。
【０２６６】
本発明の実施形態は更に、基地局を提供する。図２１に示すとおり、基地局２１０は、少なくとも１つのプロセッサ２１１、少なくとも１つのバス２１２、少なくとも１つの通信インタフェース２１３、及び少なくとも１つのメモリ２１４を含み得る。
【０２６７】
メモリ２１４は、コンピュータ実行可能命令を格納するように構成される。
【０２６８】
プロセッサ２１１は、バス２１２を用いて通信インタフェース２１３及びメモリ２１４に接続される。
【０２６９】
コンピュータが実行される場合に、プロセッサ２１１は、メモリ２１４に格納されたコンピュータ実行可能命令を実行し、プロセッサ２１１は、
第１の端末により送信された無線ベアラ変更要求メッセージを受信することであって、無線ベアラ変更要求メッセージは、第２の端末のコンテキスト情報を搬送し、コンテキスト情報は、少なくとも第２の端末の識別子ＩＤを含む、受信する、
無線ベアラ変更要求メッセージに従って、第１のｅＮＢと第１の端末との間に第１の無線ベアラを設定することであって、第１の無線ベアラは、第２の端末のサービスデータを伝送するために用いられる、構成する
第２の端末のＩＤに対応する第１のＳ１ベアラについて第１のｅＮＢの既存のＳ１ベアラを検索する、
第１の無線ベアラと第１のＳ１ベアラとの間にマッピング関係を確立する、
マッピング関係を確立した後、第１の端末にベアラ設定完了メッセージを送信することであって、ベアラ設定完了メッセージは、第１の無線ベアラのＩＤを搬送する、送信する
ように構成される。
【０２７０】
任意で、第１のｅＮＢと第１の端末との間に第１の無線ベアラを設定する場合に、プロセッサは具体的には、
第１のｅＮＢと第１の端末との間の既存の無線ベアラを第１の無線ベアラとして設定することであって、既存の無線ベアラは、別の第２の端末のサービスデータを伝送するために用いられる、設定する、又は
第１のｅＮＢと第１の端末との間に第１の無線ベアラを確立する
ように構成される。
【０２７１】
任意で、プロセッサは具体的には更に、
第１のｅＮＢのＩＤが最初にアクセスされたセルＩＤと同一である場合に、無線ベアラ変更要求メッセージに従って、第１のｅＮＢと第１の端末との間に第１の無線ベアラを設定する、又は
第１のｅＮＢのＩＤが最初にアクセスされたセルＩＤと異なる場合に、最初にアクセスされたセルＩＤに対応するソースｅＮＢにハンドオーバ要求メッセージを送信し、ソースｅＮＢにより送信されたハンドオーバ確認メッセージを受信する場合に、無線ベアラ変更要求メッセージに従って、第１のｅＮＢと第１の端末との間に第１の無線ベアラを設定する、
ように構成される。
【０２７２】
任意で、プロセッサは具体的には更に、
ダウンリンク方向において、第１のＳ１ベアラを介して、第２の端末宛てのダウンリンクデータを受信する、及び第１のＳ１ベアラをマッピングする第１の無線ベアラを介して第１の端末にダウンリンクデータを送信する、並びに／又は
アップリンク方向において、第１の無線ベアラを介して第１の端末からアップリンクデータを受信する、及び第１の無線ベアラをマッピングする第１のＳ１ベアラを介してアップリンクデータを伝送する
ように構成される。
【０２７３】
任意で、プロセッサは具体的には更に、
第２の無線ベアラがある場合に、第２の端末と第１のｅＮＢとの間に、第１のＳ１ベアラをマッピングする、ダウンリンク方向において、第１のＳ１ベアラを介して、第２の端末宛てのダウンリンクデータを受信するように構成され、及び第１のＳ１ベアラをマッピングする第２の無線ベアラを介して第２の端末にダウンリンクデータを送信する、並びに／又は
アップリンク方向において、第２の無線ベアラを介して第２の端末のアップリンクデータを受信する、及び第２の無線ベアラをマッピングする第１のＳ１ベアラを介してアップリンクデータを伝送する
ように構成される。
【０２７４】
本発明の実施形態は更に、ＭＭＥを提供する。図２２に示すとおり、ＭＭＥ２２０は、少なくとも１つのプロセッサ２２１、少なくとも１つのバス２２２、少なくとも１つの通信インタフェース２２３、及び少なくとも１つのメモリ２２４を含み得る。
【０２７５】
メモリ２２４は、コンピュータ実行可能命令を格納するように構成される。
【０２７６】
プロセッサ２２１は、バス２２２を用いて通信インタフェース２２３及びメモリ２２４に接続される。
【０２７７】
コンピュータが実行される場合に、プロセッサ２２１は、メモリ２２４に格納されたコンピュータ実行可能命令を実行し、プロセッサ２２１は、
第１の端末により送信されたベアラリソース変更要求メッセージを受信することであって、ベアラリソース変更要求メッセージは、第２の端末のコンテキスト情報を搬送し、コンテキスト情報は、少なくとも第２の端末の識別子ＩＤを含む、受信する、
ベアラリソース変更要求メッセージに従って、第１のｅＮＢとサービス提供ゲートウェイＳ‐ＧＷとの間に第２のＳ１ベアラを設定することであって、第２のＳ１ベアラは、第２の端末のサービスデータを伝送するために用いられる、構成する、及び
ベアラリソース変更要求メッセージに従って、第１のｅＮＢにベアラリソースコマンドメッセージを送信することであって、これにより、第１のｅＮＢは、第１のｅＮＢと第１の端末との間に第１の無線ベアラを設定し、第１の無線ベアラは、第２の端末のサービスデータを伝送するために用いられる、送信する
ように構成される。
【０２７８】
任意で、プロセッサは更に、
第２の端末に第２のＳ１ベアラの識別子を割り当てる、
Ｓ‐ＧＷにベアラリソースコマンドメッセージを送信することであって、ベアラリソースコマンドメッセージは、第２のＳ１ベアラの識別子を搬送する、送信する、
Ｓ‐ＧＷにより送信されたベアラ作成要求メッセージを受信する、
ベアラ作成要求メッセージに従って、第１のｅＮＢにＥ‐ＲＡＢ変更要求メッセージを送信する、
Ｅ‐ＲＡＢ変更要求メッセージに従って、第１のｅＮＢにより送信されたＥ‐ＲＡＢベアラ設定変更応答メッセージを受信する、及び
Ｅ‐ＲＡＢベアラ設定変更応答メッセージに従って、Ｓ‐ＧＷにベアラ作成応答メッセージを送信することであって、これによりＳ‐ＧＷと第１のｅＮＢとの間に第２のＳ１ベアラを確立する、送信する
ように構成される。
【０２７９】
本明細書の実施形態は、全て漸進的な方式で説明されており、複数の実施形態内の同一又は同様の部分については、これらの実施形態が参照され得、各実施形態は、他の実施形態との違いに焦点を当てている。特に、装置又はシステムの実施形態は基本的に、方法の実施形態と同様であり、故に簡潔に説明されている。関連部分については、方法の実施形態における部分的な説明が参照され得る。説明されている装置及びシステムの実施形態は、例に過ぎない。別個の部分として説明されているユニットは、物理的に別個であってもなくてもよく、ユニットとして表示されている部分は、物理的なユニットであってもなくてもよく、一箇所に位置していてもよく、又は、複数のネットワークユニットにおいて分散されていてもよい。本実施形態の解決法の目的を達成すべく、実際の要件に応じて、モジュールのうちのいくつか又は全てが選択され得る。当業者であれば、創造努力をすることなく、本発明の実施形態を理解し実施し得る。
【０２８０】
本明細書において、第１および第２等の関係を示す用語は、あるエンティティ又はオペレーションを別のエンティティ又はオペレーションと区別するためにのみ用いられ、これらのエンティティ又はオペレーション間に任意の実際の関係又はシーケンスが存在することを必ずしも必要とする又は暗示するわけではないことに留意されるべきである。さらに、用語「含む（ｉｎｃｌｕｄｅ）」、「含む（ｉｎｃｌｕｄｅ）」、又はそれらの任意の他の変形は、非排他的な包含をカバーすることを意図されており、これにより、要素のリストを含むプロセス、方法、物品、若しくは装置は、それらの要素を含むだけでなく、また、明示的には列挙されていない他の要素を含むか、又はそのようなプロセス、方法、物品、若しくは装置に固有の要素を更に含む。「含む（ｉｎｃｌｕｄｅｓ  ａ）」から始まる要素は、それ以上の制約がなければ、要素を含むプロセス、方法、物品、又は装置において追加の同一の要素の存在を除外しない。
【０２８１】
前述の説明は、当業者が本発明を理解又は実施するための本発明の具体的な実装に過ぎない。実施形態への様々な変更は、当業者には明らかであり、本明細書において定義された一般的な原理は、本発明の思想又は範囲から逸脱することなく他の実施形態において実施され得る。故に、本発明は、本明細書に記載されている実施形態に限定されるのではなく、本明細書に開示されている原理および新規性に従う最も広い範囲に及ぶ。
【図１】
0006496079.tif 000002
【図２】
0006496079.tif 000003
【図３】
0006496079.tif 000004
【図４】
0006496079.tif 000005
【図５】
0006496079.tif 000006
【図６】
0006496079.tif 000007
【図７】
0006496079.tif 000008
【図８】
0006496079.tif 000009
【図９】
0006496079.tif 000010
【図１０】
0006496079.tif 000011
【図１１】
0006496079.tif 000012
【図１２】
0006496079.tif 000013
【図１３】
0006496079.tif 000014
【図１４】
0006496079.tif 000015
【図１５】
0006496079.tif 000016
【図１６】
0006496079.tif 000017
【図１７】
0006496079.tif 000018
【図１８】
0006496079.tif 000019
【図１９】
0006496079.tif 000020
【図２０】
0006496079.tif 000021
【図２１】
0006496079.tif 000022
【図２２】
0006496079.tif 000023